(57)【要約】      （修正有）【課題】放送コンテンツ受信ユニットから独立して動作するウェブコンテンツ受信ユニットを用いて、放送コンテンツ受信ユニットで表示中の放送コンテンツに関連する関連コンテンツを受信・表示する。【解決手段】ユーザ端末は、予め定められたタイムスケジュールに従い複数のサブコンテンツが表示される放送コンテンツのサブコンテンツ各々に対応付けられた関連コンテンツを要求するユーザ入力を受付ける関連コンテンツ要求受付部２２と、関連コンテンツの要求を情報提供装置に送信する関連コンテンツ要求送信部２３と、関連コンテンツの要求に応じて情報提供装置から送信されてきた関連コンテンツを受信する関連コンテンツ受信部２４と、関連コンテンツを表示する関連コンテンツ表示部２５と、を有する。【選択図】図６
2016005182.tif 000002
【特許請求の範囲】
【請求項１】
予め定められたタイムスケジュールに従い複数のサブコンテンツが表示される放送コンテンツの前記サブコンテンツ各々に、関連コンテンツを対応付けて記憶している関連コンテンツ記憶手段と、
ユーザ端末から、前記関連コンテンツの要求を受信する関連コンテンツ要求受信手段と、
前記関連コンテンツの要求の受信時又は前記ユーザ端末による前記関連コンテンツの要求の送信時に放送されている前記サブコンテンツに対応付けられた前記関連コンテンツを前記ユーザ端末に送信する関連コンテンツ送信手段と、
を有する情報提供装置。
【請求項２】
請求項１に記載の情報提供装置において、
前記関連コンテンツ記憶手段は、放送チャンネルごとに前記関連コンテンツを記憶し、
前記関連コンテンツ要求受信手段は、所定の前記放送チャンネルの前記関連コンテンツの要求を受信し、
前記関連コンテンツ送信手段は、前記所定の放送チャンネルで放送されている前記サブコンテンツに対応付けられた前記関連コンテンツを前記ユーザ端末に送信する情報提供装置。
【請求項３】
請求項１又は２に記載の情報提供装置において、
前記ユーザ端末から、前記関連コンテンツのインデックス情報の要求を受信するインデックス要求受信手段と、
前記インデックス情報の要求の受信時又は前記ユーザ端末による前記インデックス情報の要求の送信時に放送されている前記放送コンテンツが含む複数の前記サブコンテンツに対応付けられた複数の前記関連コンテンツの前記インデックス情報を前記ユーザ端末に送信するインデックス送信手段と、
をさらに有する情報提供装置。
【請求項４】
請求項３に記載の情報提供装置において、
前記インデックス要求受信手段は、所定の前記放送チャンネルの前記関連コンテンツの前記インデックス情報の要求を受信し、
前記インデックス送信手段は、前記所定の放送チャンネルで放送されている前記放送コンテンツが含む複数の前記サブコンテンツに対応付けられた複数の前記関連コンテンツの前記インデックス情報を前記ユーザ端末に送信する情報提供装置。
【請求項５】
請求項１から４のいずれか１項に記載の情報提供装置において、
ユーザごとに、前記関連コンテンツの要求を受付けた前記サブコンテンツに関する情報を記憶するユーザ情報記憶手段と、
前記ユーザ情報記憶手段に記憶されている前記情報を利用して、前記ユーザにお勧めの前記放送コンテンツを特定し、出力するお勧め情報提供手段と、
をさらに有する情報提供装置。
【請求項６】
請求項１から５のいずれか１項に記載の情報提供装置において、
ユーザごとに、前記関連コンテンツを保存するユーザ入力を受付けた前記サブコンテンツに関する情報を記憶するユーザ情報記憶手段と、
前記ユーザ情報記憶手段に記憶されている前記情報を利用して、前記ユーザにお勧めの前記放送コンテンツを特定し、出力するお勧め情報提供手段と、
をさらに有する情報提供装置。
【請求項７】
請求項５又は６に記載の情報提供装置において、
前記ユーザ情報記憶手段は、前記ユーザごとに、前記ユーザから受付けた前記放送コンテンツを視聴する時間帯を記憶し、
前記お勧め情報提供手段は、前記時間帯に放送される前記放送コンテンツをお勧めとして特定する情報提供装置。
【請求項８】
予め定められたタイムスケジュールに従い複数のサブコンテンツが表示される放送コンテンツの前記サブコンテンツ各々に対応付けられた関連コンテンツを要求するユーザ入力を受付ける関連コンテンツ要求受付手段と、
前記関連コンテンツの要求を情報提供装置に送信する関連コンテンツ要求送信手段と、
前記関連コンテンツの要求に応じて前記情報提供装置から送信されてきた前記関連コンテンツを受信する関連コンテンツ受信手段と、
前記関連コンテンツを表示する関連コンテンツ表示手段と、
を有するユーザ端末。
【請求項９】
請求項８に記載のユーザ端末において、
前記関連コンテンツ要求受付手段は、１つの放送チャンネルを指定して、前記関連コンテンツの要求を受付け、
前記関連コンテンツ要求送信手段は、指定された前記放送チャンネルの前記関連コンテンツの要求を前記情報提供装置に送信するユーザ端末。
【請求項１０】
請求項８又は９に記載のユーザ端末において、
前記関連コンテンツのインデックス情報を要求するユーザ入力を受付けるインデックス要求受付手段と、
前記インデックス情報の要求を前記情報提供装置に送信するインデックス要求送信手段と、
前記インデックス情報の要求に応じて前記情報提供装置から送信されてきた前記インデックス情報を受信するインデックス受信手段と、
前記インデックス情報を表示するインデックス表示手段と、
を有するユーザ端末。
【請求項１１】
請求項１０に記載のユーザ端末において、
前記インデックス要求受付手段は、１つの前記放送チャンネルを指定して、前記インデックス情報の要求を受付け、
前記インデックス要求送信手段は、指定された前記放送チャンネルの前記インデックス情報の要求を前記情報提供装置に送信するユーザ端末。
【請求項１２】
請求項１０又は１１に記載のユーザ端末において、
前記インデックス表示手段は、前記インデックス受信手段が受信した複数の前記インデックス情報を、現在の時刻に基づいて決定した表示態様で表示するユーザ端末。
【請求項１３】
請求項１２に記載のユーザ端末において、
前記インデックス表示手段は、現在の時刻に放送されている前記サブコンテンツの前記関連コンテンツの前記インデックス情報を、他の前記インデックス情報から識別可能な表示態様で表示するユーザ端末。
【請求項１４】
請求項１３に記載のユーザ端末において、
前記インデックス表示手段は、時間の経過により現在放送されている前記サブコンテンツが変化すると、変化後に放送されている前記サブコンテンツの前記関連コンテンツの前記インデックス情報を、他の前記インデックス情報から識別可能な表示態様で表示するよう、表示態様を変更するユーザ端末。
【請求項１５】
請求項８から１４のいずれか１項に記載のユーザ端末において、
前記関連コンテンツを保存するユーザ入力を受付ける関連コンテンツ保存受付手段と、
保存する前記ユーザ入力を受付けた前記関連コンテンツを、当該関連コンテンツに対応する前記サブコンテンツの放送日時に対応付けて記憶する関連コンテンツ保存手段と、
前記放送日時をキーとして前記関連コンテンツ保存手段に記憶されている前記関連コンテンツを検索する検索手段と、
をさらに有するユーザ端末。
【請求項１６】
請求項１から７のいずれか１項に記載の情報提供装置と、
請求項８から１５のいずれか１項に記載のユーザ端末と、
を有するコンテンツ提供システム。
【請求項１７】
コンピュータを、
予め定められたタイムスケジュールに従い複数のサブコンテンツが表示される放送コンテンツの前記サブコンテンツ各々に、関連コンテンツを対応付けて記憶している関連コンテンツ記憶手段、
ユーザ端末から、前記関連コンテンツの要求を受信する関連コンテンツ要求受信手段、
前記関連コンテンツの要求の受信時又は前記ユーザ端末による前記関連コンテンツの要求の送信時に放送されている前記サブコンテンツに対応付けられた前記関連コンテンツを前記ユーザ端末に送信する関連コンテンツ送信手段、
として機能させるためのプログラム。
【請求項１８】
コンピュータが、
予め定められたタイムスケジュールに従い複数のサブコンテンツが表示される放送コンテンツの前記サブコンテンツ各々に、関連コンテンツを対応付けて記憶しておき、
ユーザ端末から、前記関連コンテンツの要求を受信する関連コンテンツ要求受信工程と、
前記関連コンテンツの要求の受信時又は前記ユーザ端末による前記関連コンテンツの要求の送信時に放送されている前記サブコンテンツに対応付けられた前記関連コンテンツを前記ユーザ端末に送信する関連コンテンツ送信工程と、
を実行する情報提供装置の動作方法。
【請求項１９】
コンピュータを、
予め定められたタイムスケジュールに従い複数のサブコンテンツが表示される放送コンテンツの前記サブコンテンツ各々に対応付けられた関連コンテンツを要求するユーザ入力を受付ける関連コンテンツ要求受付手段、
前記関連コンテンツの要求を情報提供装置に送信する関連コンテンツ要求送信手段、
前記関連コンテンツの要求に応じて前記情報提供装置から送信されてきた前記関連コンテンツを受信する関連コンテンツ受信手段、
前記関連コンテンツを表示する関連コンテンツ表示手段、
として機能させるためのプログラム。
【請求項２０】
コンピュータが、
予め定められたタイムスケジュールに従い複数のサブコンテンツが表示される放送コンテンツの前記サブコンテンツ各々に対応付けられた関連コンテンツを要求するユーザ入力を受付ける関連コンテンツ要求受付工程と、
前記関連コンテンツの要求を情報提供装置に送信する関連コンテンツ要求送信工程と、
前記関連コンテンツの要求に応じて前記情報提供装置から送信されてきた前記関連コンテンツを受信する関連コンテンツ受信工程と、
前記関連コンテンツを表示する関連コンテンツ表示工程と、
を実行するユーザ端末の動作方法。
【発明の詳細な説明】
【技術分野】
【０００１】
本発明は、コンテンツ提供システム、情報提供装置、ユーザ端末、情報提供装置の動作方法、ユーザ端末の動作方法、及び、プログラムに関する。
【背景技術】
【０００２】
特許文献１に、インターネット等のネットワーク上に存在するコンテンツ（ウェブコンテンツ）を受信するためのウェブコンテンツ受信ユニット、及び、テレビ放送等の放送コンテンツを受信するための放送コンテンツ受信ユニットの両方を備え、受信したこれらのコンテンツを合成した合成映像を表示するコンテンツ再生装置が開示されている。当該コンテンツ再生装置において、ウェブコンテンツ受信ユニットは、放送コンテンツ受信ユニットが受信した放送コンテンツから抽出されたキーワード、又は、当該キーワードを抽出するための情報を、放送コンテンツ受信ユニットから受信する。そして、ウェブコンテンツ受信ユニットは、当該キーワードを用いてウェブコンテンツを検索する。
【先行技術文献】
【特許文献】
【０００３】
【特許文献１】特開２０１１−５５３４３号公報
【発明の概要】
【発明が解決しようとする課題】
【０００４】
特許文献１に記載の技術によれば、ユーザは、互いに関連する放送コンテンツ及びウェブコンテンツを並行して視聴することができる。しかし、特許文献１に記載の技術の場合、ウェブコンテンツ受信ユニットと放送コンテンツ受信ユニットとを協働させる必要がある。具体的には、ウェブコンテンツ受信ユニットは、放送コンテンツ受信ユニットが受信した放送コンテンツから抽出されたキーワード、又は、当該キーワードを抽出するための情報を、放送コンテンツ受信ユニットから受信する必要がある。
【０００５】
このように、ウェブコンテンツ受信ユニットと放送コンテンツ受信ユニットとを協働させる必要がある場合、これらのコンテンツを並行して視聴するために利用できる端末が制限されてしまう。例えば、ユーザは、特許文献１に記載のように、予めウェブコンテンツ受信ユニット及び放送コンテンツ受信ユニットの両方を備え、それらが協働するように設計された端末を利用しなければならない。
【０００６】
なお、ウェブコンテンツ受信ユニットを備えた端末（例：パーソナルコンピュータ、タブレット端末、スマートフォン等）、及び、放送コンテンツ受信ユニットを備えた端末（例：テレビ）各々を準備し、これらの端末に所定の設定を行うことで、これらのユニットを協働させる手段も考えられる。この場合、使用できる端末の自由度が高まる。しかし、当該手段の場合、ユーザに所定の設定作業を課すこととなる。ユーザの中にはこのような設定作業を苦手とする者いる。このため、当該設定作業が、当該技術の利用の障壁になり得る。
【０００７】
本発明は、放送コンテンツ受信ユニットから独立して動作するウェブコンテンツ受信ユニットを用いて、放送コンテンツ受信ユニットで表示中の放送コンテンツに関連する関連コンテンツを受信・表示するための技術を提供することを課題とする。
【課題を解決するための手段】
【０００８】
本発明によれば、
予め定められたタイムスケジュールに従い複数のサブコンテンツが表示される放送コンテンツの前記サブコンテンツ各々に、関連コンテンツを対応付けて記憶している関連コンテンツ記憶手段と、
ユーザ端末から、前記関連コンテンツの要求を受信する関連コンテンツ要求受信手段と、
前記関連コンテンツの要求の受信時又は前記ユーザ端末による前記関連コンテンツの要求の送信時に放送されている前記サブコンテンツに対応付けられた前記関連コンテンツを前記ユーザ端末に送信する関連コンテンツ送信手段と、
を有する情報提供装置が提供される。
【０００９】
また、本発明によれば、
予め定められたタイムスケジュールに従い複数のサブコンテンツが表示される放送コンテンツの前記サブコンテンツ各々に対応付けられた関連コンテンツを要求するユーザ入力を受付ける関連コンテンツ要求受付手段と、
前記関連コンテンツの要求を情報提供装置に送信する関連コンテンツ要求送信手段と、
前記関連コンテンツの要求に応じて前記情報提供装置から送信されてきた前記関連コンテンツを受信する関連コンテンツ受信手段と、
前記関連コンテンツを表示する関連コンテンツ表示手段と、
を有するユーザ端末が提供される。
【００１０】
また、本発明によれば、上記情報提供装置と、上記ユーザ端末と、を有するコンテンツ提供システムが提供される。
【００１１】
また、本発明によれば、
コンピュータを、
予め定められたタイムスケジュールに従い複数のサブコンテンツが表示される放送コンテンツの前記サブコンテンツ各々に、関連コンテンツを対応付けて記憶している関連コンテンツ記憶手段、
ユーザ端末から、前記関連コンテンツの要求を受信する関連コンテンツ要求受信手段、
前記関連コンテンツの要求の受信時又は前記ユーザ端末による前記関連コンテンツの要求の送信時に放送されている前記サブコンテンツに対応付けられた前記関連コンテンツを前記ユーザ端末に送信する関連コンテンツ送信手段、
として機能させるためのプログラムが提供される。
【００１２】
また、本発明によれば、
コンピュータが、
予め定められたタイムスケジュールに従い複数のサブコンテンツが表示される放送コンテンツの前記サブコンテンツ各々に、関連コンテンツを対応付けて記憶しておき、
ユーザ端末から、前記関連コンテンツの要求を受信する関連コンテンツ要求受信工程と、
前記関連コンテンツの要求の受信時又は前記ユーザ端末による前記関連コンテンツの要求の送信時に放送されている前記サブコンテンツに対応付けられた前記関連コンテンツを前記ユーザ端末に送信する関連コンテンツ送信工程と、
を実行する情報提供装置の動作方法が提供される。
【００１３】
また、本発明によれば、
コンピュータを、
予め定められたタイムスケジュールに従い複数のサブコンテンツが表示される放送コンテンツの前記サブコンテンツ各々に対応付けられた関連コンテンツを要求するユーザ入力を受付ける関連コンテンツ要求受付手段、
前記関連コンテンツの要求を情報提供装置に送信する関連コンテンツ要求送信手段、
前記関連コンテンツの要求に応じて前記情報提供装置から送信されてきた前記関連コンテンツを受信する関連コンテンツ受信手段、
前記関連コンテンツを表示する関連コンテンツ表示手段、
として機能させるためのプログラムが提供される。
【００１４】
また、本発明によれば、
コンピュータが、
予め定められたタイムスケジュールに従い複数のサブコンテンツが表示される放送コンテンツの前記サブコンテンツ各々に対応付けられた関連コンテンツを要求するユーザ入力を受付ける関連コンテンツ要求受付工程と、
前記関連コンテンツの要求を情報提供装置に送信する関連コンテンツ要求送信工程と、
前記関連コンテンツの要求に応じて前記情報提供装置から送信されてきた前記関連コンテンツを受信する関連コンテンツ受信工程と、
前記関連コンテンツを表示する関連コンテンツ表示工程と、
を実行するユーザ端末の動作方法が提供される。
【発明の効果】
【００１５】
放送コンテンツ受信ユニットから独立して動作するウェブコンテンツ受信ユニットを用いて、放送コンテンツ受信ユニットで表示中の放送コンテンツに関連する関連コンテンツを受信・表示するための技術が実現される。
【図面の簡単な説明】
【００１６】
【図１】本実施形態の装置のハードウエア構成の一例を概念的に示す図である。
【図２】本実施形態のコンテンツ提供システムの全体像の一例を説明するための図である。
【図３】本実施形態のコンテンツ提供システムの全体像の一例を説明するための図である。
【図４】本実施形態の情報提供装置の機能ブロック図の一例を示す図である。
【図５】本実施形態の情報提供装置が管理する情報の一例を模式的に示す図である。
【図６】本実施形態のユーザ端末の機能ブロック図の一例を示す図である。
【図７】本実施形態の情報提供装置の機能ブロック図の一例を示す図である。
【図８】本実施形態の情報提供装置が管理する情報の一例を模式的に示す図である。
【図９】本実施形態のユーザ端末の機能ブロック図の一例を示す図である。
【図１０】本実施形態のユーザ端末の機能ブロック図の一例を示す図である。
【図１１】本実施形態の情報提供装置の機能ブロック図の一例を示す図である。
【図１２】本実施形態の情報提供装置が管理する情報の一例を模式的に示す図である。
【図１３】本実施形態のコンテンツ提供システムの利用場面の一例を説明するための図である。
【図１４】図１３の処理を実現するための工程を示す図である。
【図１５】図１４に示す「（１）映像・テキストコンテンツ紐付け」を説明するための図である。
【図１６】図１４に示す「（１）映像・テキストコンテンツ紐付け」を説明するための図である。
【図１７】図１４に示す「（２）映像コンテンツの編成」を説明するための図である。
【図１８】図１４に示す「（２）映像コンテンツの編成」を説明するための図である。
【図１９】図１４に示す「（３）映像コンテンツの放送」を説明するための図である。
【図２０】図１４に示す「（４）映像コンテンツの表示」を説明するための図である。
【図２１】図１４に示す「（５）テキストコンテンツの保存」を説明するための図である。
【図２２】図１４に示す「（６）保存テキストコンテンツの表示」を説明するための図である。
【図２３】図１４に示す「（７）テキストコンテンツの表示終了」を説明するための図である。
【図２４】図１４に示す「（７）テキストコンテンツの表示終了」を説明するための図である。
【図２５】図１４に示す「（８）映像コンテンツのレコメンド」を説明するための図である。
【図２６】図１４に示す「（８）映像コンテンツのレコメンド」を説明するための図である。
【図２７】図１４に示す「（８）映像コンテンツのレコメンド」を説明するための図である。
【発明を実施するための形態】
【００１７】
まず、本実施形態の情報提供装置及びユーザ端末のハードウエア構成の一例について説明する。本実施形態の情報提供装置及びユーザ端末が備える各部は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。
【００１８】
図１は、本実施形態の情報提供装置及びユーザ端末のハードウエア構成の一例を概念的に示す図である。図示するように、本実施形態の情報提供装置及びユーザ端末は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。
【００１９】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００２０】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／又は無線で、インターネット、ＬＡＮ（Local Area Network）等のネットワークに接続し、他の電子機器と通信する。
【００２１】
以下、本実施の形態について説明する。なお、以下の実施形態の説明において利用する機能ブロック図は、ハードウエア単位の構成ではなく、機能単位のブロックを示している。これらの図においては、情報提供装置及びユーザ端末は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２２】
＜第１の実施形態＞
まず、図２を用いて、本実施形態のコンテンツ提供システムの全体像の一例について説明する。図示するように、本実施形態のコンテンツ提供システムは、インターネット等のネットワーク４０に接続した複数の情報提供装置１０（情報提供装置１０−１乃至１０−３等）と、複数のユーザ端末２０（ユーザ端末２０−１乃至２０−２等）とを有する。
【００２３】
各情報提供装置１０は、例えば、１つまたは複数の放送チャンネル（例：地上波放送チャンネル、ＢＳ（Broadcasting Satellite）放送チャンネル、ＣＳ（Communication Satellite）放送チャンネル、ＣＡＴＶ（Cable Television）放送チャンネル等を含む）を用いて放送する放送局各々に対応し、各放送局で管理される。この場合、各情報提供装置１０は、図示するように、１つまたは複数の放送チャンネルに対応する。
【００２４】
各放送チャンネルでは、予め定められたタイムスケジュールに従い複数の放送コンテンツ（例：テレビ放送コンテンツ）が順次放送される。各放送コンテンツの放送時には、予め定められたタイムスケジュールに従い複数のサブコンテンツが順次放送される。ここでの放送コンテンツは各番組に対応し、サブコンテンツは各番組内の一部分に対応する。各情報提供装置１０は、放送チャンネルごとに、サブコンテンツ各々に対応付けて、サブコンテンツの内容に関連するコンテンツである関連コンテンツを記憶している。
【００２５】
ユーザ端末２０は、インターネット等のネットワーク上に存在するコンテンツ（ウェブコンテンツ）を受信するためのウェブコンテンツ受信ユニットを備える。ユーザ端末２０は、例えば、パーソナルコンピュータ、タブレット端末、スマートフォン等である。
【００２６】
ユーザ端末２０は、所定の放送チャンネルを指定して関連コンテンツを要求するユーザ入力を受付ける。例えば、放送コンテンツ受信ユニットを備える端末（例：テレビ）を用いて所定の放送チャンネルの放送コンテンツを視聴しているユーザは、ユーザ端末２０を操作し、当該放送チャンネルに対応する放送局のウェブページを表示させる。当該ウェブページは、例えば、放送局、放送コンテンツ、サブコンテンツ、放送スケジュール等の紹介ページや、１つの放送チャンネルを指定して関連コンテンツを要求するページ等が含まれる。
【００２７】
ユーザは、ユーザ端末２０を操作して関連コンテンツを要求するページを表示させ、例えば当該ページにおける所定のＧＵＩ（Graphical User Interface）部品に対する操作により、１つの放送チャンネルの関連コンテンツの要求を入力する。すると、ユーザ端末２０は、当該ページ内に埋め込まれていたアドレス情報に基づいて、所定の情報提供装置１０に当該放送チャンネルの関連コンテンツの要求を送信する。
【００２８】
その後、情報提供装置１０は当該要求に応じて、その時点で放送中のサブコンテンツに対応する関連コンテンツを取り出し、ユーザ端末２０に返信する。すると、ユーザ端末２０は、受信した関連コンテンツを表示する。
【００２９】
以上により、ユーザ端末２０は、その時点で放送中の放送コンテンツに関連する関連コンテンツ、特にその時点で放送中のサブコンテンツに関連する関連コンテンツを取得・表示することができる。結果、ユーザは、放送コンテンツ受信ユニットを備える端末（例：テレビ）を用いて所定の放送チャンネルの放送コンテンツを視聴しながら、ユーザ端末２０を用いて当該放送コンテンツに関連する関連コンテンツを視聴することができる。
【００３０】
なお、ユーザ端末２０は、放送コンテンツを受信するための放送コンテンツ受信ユニットを備えてもよいし、備えなくてもよい。ユーザ端末２０が放送コンテンツ受信ユニットを備える場合、ウェブコンテンツ受信ユニットと放送コンテンツ受信ユニットとが協働するように設計されていてもよいし、協働するように設計されていなくてもよい。いずれであっても、ユーザ端末２０のウェブコンテンツ受信ユニットは、放送コンテンツ受信ユニットから独立した動作により、情報提供装置１０から、その時点で放送中のサブコンテンツに関連する関連コンテンツを取得して、表示することができる。
【００３１】
次に、図３を用いて、本実施形態のコンテンツ提供システムの全体像のその他の例について説明する。図示するように、本実施形態のコンテンツ提供システムは、インターネット等のネットワーク４０に接続した１つの情報提供装置１０と、複数のユーザ端末２０（ユーザ端末２０−１乃至２０−２）とを有する。
【００３２】
情報提供装置１０は、例えば、放送局とユーザとの間に位置するサービスプロバイダーにより管理される。この場合、情報提供装置１０は、複数の放送局に跨る複数の放送チャンネルに対応することができる。すなわち、情報提供装置１０には、複数の放送局の複数の放送チャンネルに関連する関連コンテンツが、放送チャンネルごとに記憶されている。
【００３３】
当該例の場合も、情報提供装置１０及びユーザ端末２０の処理の概要は同様であり、図２を用いて説明した例と同様の処理により、ユーザ端末２０に関連コンテンツを表示させることができる。
【００３４】
次に、情報提供装置１０及びユーザ端末２０の構成について詳細に説明する。
【００３５】
まず、情報提供装置１０の構成について説明する。図４に、本実施形態の情報提供装置１０の機能ブロック図の一例を示す。図示するように、情報提供装置１０は、関連コンテンツ記憶部１１と、関連コンテンツ要求受信部１２と、関連コンテンツ送信部１３とを有する。
【００３６】
関連コンテンツ記憶部１１は、予め定められたタイムスケジュールに従い複数のサブコンテンツが順次表示される放送コンテンツのサブコンテンツ各々に、関連コンテンツを対応付けて、放送チャンネルごとに記憶している。放送コンテンツは放送番組に対応し、サブコンテンツは放送番組内の一部分に対応する。
【００３７】
放送コンテンツの詳細は特段制限されず、ニュース番組、教育番組、教養番組、実用番組、音楽番組、ドラマ番組、アニメ番組、映画番組、スポーツ番組等であってもよい。
【００３８】
関連コンテンツは、その内容がサブコンテンツの内容に関連するコンテンツである。関連コンテンツは、インターネット等のネットワーク上で扱うことができるデータで構成される。例えば、関連コンテンツは、テキストデータ、静止画データ、動画データ、音声データ等の中の１つまたは複数の組み合わせで構成される。情報提供装置１０の管理者が、予め、サブコンテンツ毎に関連コンテンツを関連コンテンツ記憶部１１に記憶させておくことができる。
【００３９】
例えば、管理者は、自分で関連コンテンツを生成し、関連コンテンツ記憶部１１に記憶させてもよい。または、管理者は、ネットワーク上で公開されている情報の中から関連コンテンツを探し出し、関連コンテンツ記憶部１１に記憶させてもよい。後者の場合、関連コンテンツは、ネットワーク上で公開されている新聞記事、雑誌、書籍等であってもよい。第２の実施形態で、ネットワーク上で公開されている情報の中から関連コンテンツを探し出し、関連コンテンツ記憶部１１に記憶させる処理の一例を説明する。なお、すべてのサブコンテンツに関連コンテンツを対応付けて記憶させてもよいし、一部のサブコンテンツのみに関連コンテンツを対応付けて記憶させてもよい。
【００４０】
図５に、ある放送コンテンツのサブコンテンツと、当該サブコンテンツに対応付けて関連コンテンツ記憶部１１に記憶されている関連コンテンツとを対応付けるための情報の一例を模式的に示す。例えば、関連コンテンツ記憶部１１が当該情報を記憶しておくことができる。
【００４１】
図５に示す情報は、放送コンテンツＩＤ（識別情報）「１４０５２８２３０００００」で特定される放送コンテンツに関する情報である。図５によれば、当該放送コンテンツの放送日は２０１４年５月２８日であり、放送時間は２３時から２３時３０分であり、放送チャンネルはＢＳ２××であることが分かる。また、当該情報においては、各放送コンテンツの内容を示すキーワードがさらに対応付けられている。
【００４２】
当該情報においては、当該放送コンテンツが含む複数のサブコンテンツが、放送される順に並んで表示されている。各サブコンテンツにはＩＤ（識別情報）と、人間が各サブコンテンツを識別し易くするための名称とが付されている。そして、各サブコンテンツに対応付けて、各々の放送開始（予定）時刻及び放送終了（予定）時刻が示されている。すなわち、複数のサブコンテンツのタイムスケジュールが示されている。
【００４３】
そして、当該情報においては、各サブコンテンツに、関連コンテンツＩＤ（識別情報）が対応付けられている。関連コンテンツ記憶部１１は、当該関連コンテンツＩＤを付された関連コンテンツを、別途記憶している。
【００４４】
図４に戻り、関連コンテンツ要求受信部１２は、インターネット等のネットワークを介して、ユーザ端末２０から、１つの放送チャンネルの関連コンテンツの要求を受信する。以下、所定の情報の要求があった放送チャンネルを、「第１の放送チャンネル」という。
【００４５】
関連コンテンツ要求受信部１２は、１つの放送チャンネルのみに対応し、当該放送チャンネルの関連コンテンツの要求のみを受信するよう構成されてもよい。または、関連コンテンツ要求受信部１２は、複数の放送チャンネルに対応し、複数の放送チャンネルの関連コンテンツの要求を受信するよう構成されてもよい。前者の場合、関連コンテンツ要求受信部１２が受信する要求の中に、放送チャンネルを指定する情報が含まれてもよいし、含まれていなくてもよい。後者の場合、関連コンテンツ要求受信部１２が受信する要求の中に、放送チャンネルを指定する情報が含まれる。
【００４６】
情報提供装置１０は、１つまたは複数の関連コンテンツ要求受信部１２を有することができる。情報提供装置１０が複数の関連コンテンツ要求受信部１２を有する場合、例えば、複数の関連コンテンツ要求受信部１２各々のアドレスを異ならせることで、所定の放送チャンネルの関連コンテンツの要求が、所定の関連コンテンツ要求受信部１２に適切に受信されるようにしてもよい。
【００４７】
関連コンテンツ送信部１３は、関連コンテンツの要求の受信時又はユーザ端末２０による関連コンテンツの要求の送信時に第１の放送チャンネルで放送されているサブコンテンツに対応付けられた関連コンテンツを、ユーザ端末２０に送信する。
【００４８】
なお、要求の受信時及び送信時は、要求が受信されたちょうどその時、及び、送信されたちょうどその時のみならず、それらの時から多少前後した時も含む。このようにしても、現在放送中のサブコンテンツに関連する関連コンテンツをユーザ端末２０に送信し、表示させるという、本実施形態の目的は達成される。
【００４９】
関連コンテンツ送信部１３は、例えば、関連コンテンツ要求受信部１２が上記要求を受信すると、それに応じて、関連コンテンツ要求受信部１２による当該要求の受信時又はユーザ端末２０による当該要求の送信時の時刻を示す時刻情報を取得する。例えば、当該要求の中に、ユーザ端末２０による当該要求の送信時の時刻が記載されていてもよい。そして、関連コンテンツ送信部１３は、それを取得してもよい。その他、関連コンテンツ要求受信部１２は、当該要求を受信すると、その時点の時刻を取得し、当該要求に対応付けて関連コンテンツ送信部１３に入力してもよい。その他、関連コンテンツ送信部１３は、関連コンテンツ要求受信部１２から当該要求の入力があると、それに応じて、その時点の時刻を取得し、当該要求に対応付けてもよい。
【００５０】
時刻情報を取得後、関連コンテンツ送信部１３は、「第１の放送チャンネルの関連コンテンツの要求が、時刻情報で特定される時刻にあった場合に、返信するよう定められている関連コンテンツ」を関連コンテンツ記憶部１１から取り出し、ユーザ端末２０に送信する。
【００５１】
例えば、情報提供装置１０の管理者が、図５に示すような情報に基づいて、放送チャンネルごとに、サブコンテンツ各々の放送時間に基づいて場合分けし、時刻情報で特定される時刻が第ｎのサブコンテンツの放送時間である場合、第ｎのサブコンテンツに対応する関連コンテンツを返信するよう設定、登録しておいてもよい。このように、関連コンテンツ送信部１３は、必ずしも関連コンテンツの要求の受信時又はユーザ端末２０による関連コンテンツの要求の送信時に第１の放送チャンネルで放送されている「サブコンテンツ」を特定する必要はなく、結果的に当該サブコンテンツに対応付けられた関連コンテンツをユーザ端末２０に送信できればよい。なお、関連コンテンツ送信部１３が、関連コンテンツの要求の受信時又はユーザ端末２０による関連コンテンツの要求の送信時に第１の放送チャンネルで放送されている「サブコンテンツ」を特定するよう設計してもよい。
【００５２】
ところで、情報提供装置１０が１つの関連コンテンツ要求受信部１２のみを有し、当該関連コンテンツ要求受信部１２が１つの放送チャンネルのみに対応する場合、すなわち、情報提供装置１０が１つの放送チャンネルのみに対応する場合、関連コンテンツ送信部１３は、関連コンテンツ要求受信部１２から入力された要求がどの放送チャンネルの関連コンテンツの要求かを特定する必要はない。
【００５３】
しかし、情報提供装置１０が複数の放送チャンネルに対応する場合、関連コンテンツ送信部１３は、関連コンテンツ要求受信部１２から入力された要求が、どの放送チャンネルの関連コンテンツの要求かを特定する必要がある。
【００５４】
特定する手段は様々であるが、例えば、情報提供装置１０が１つの放送チャンネルに対応する関連コンテンツ要求受信部１２を複数有する場合、関連コンテンツ送信部１３は、要求を受信した関連コンテンツ要求受信部１２を特定することで、関連コンテンツが要求されている放送チャンネルを特定してもよい。また、要求の中に、関連コンテンツが要求されている放送チャンネルを特定する情報が含まれる場合、関連コンテンツ送信部１３は当該情報に基づいて、関連コンテンツが要求されている放送チャンネルを特定してもよい。
【００５５】
次に、ユーザ端末２０の構成について説明する。図６に、本実施形態のユーザ端末２０の機能ブロック図の一例を示す。図示するように、ユーザ端末２０は、関連コンテンツ要求受付部２２と、関連コンテンツ要求送信部２３と、関連コンテンツ受信部２４と、関連コンテンツ表示部２５とを有する。
【００５６】
関連コンテンツ要求受付部２２は、１つの放送チャンネルを指定して関連コンテンツを要求するユーザ入力を受付ける。
【００５７】
例えば、関連コンテンツ要求受付部２２は、ユーザ入力に応じて、関連コンテンツを要求するためのウェブページ、例えば情報提供装置１０を管理する管理者のウェブページを表示する。当該ウェブページは、１つの放送チャンネルを指定して関連コンテンツを要求するユーザ入力を受付けるよう構成されている。例えば、放送チャンネルごとに、関連コンテンツを要求するユーザ入力を受付けるボタンが表示されていてもよい。関連コンテンツ要求受付部２２は、例えばこのようなウェブページから、１つの放送チャンネルを指定して関連コンテンツを要求するユーザ入力を受付ける。
【００５８】
関連コンテンツ要求送信部２３は、関連コンテンツ要求受付部２２によるユーザ入力の受付けに応じて、指定された放送チャンネルの関連コンテンツの要求を情報提供装置１０に送信する。
【００５９】
例えば、関連コンテンツ要求受付部２２が取得し表示したウェブページに、情報提供装置１０の関連コンテンツ要求受信部１２のアドレス情報が埋め込まれている。関連コンテンツ要求送信部２３は、当該アドレス情報に基づいて、所定の関連コンテンツ要求受信部１２に要求を送信する。当該ウェブページに複数の放送チャンネル各々に対応した関連コンテンツを要求するユーザ入力を受付けるＧＵＩ部品が複数表示されている場合、各ＧＵＩ部品への操作に応じて送信される要求の送信先アドレス（送信先となる関連コンテンツ要求受信部１２）は、互いに異なっていてもよい。なお、関連コンテンツ要求送信部２３が情報提供装置１０に送信する要求には、指定された放送チャンネルを識別する情報が含まれてもよい。
【００６０】
関連コンテンツ受信部２４は、関連コンテンツ要求送信部２３が送信した関連コンテンツの要求に応じて情報提供装置１０の関連コンテンツ送信部１３から送信されてきた関連コンテンツを受信する。
【００６１】
関連コンテンツ表示部２５は、関連コンテンツ受信部２４が受信した関連コンテンツを、ディスプレイやスピーカ等の出力装置を介して表示する。
【００６２】
次に、本実施形態の作用効果について説明する。
【００６３】
本実施形態よれば、ウェブコンテンツ受信ユニットを備えるユーザ端末２０は、放送コンテンツ受信ユニットから独立した動作により、その時点で放送されている放送コンテンツ（サブコンテンツ）に関連する関連コンテンツを取得し、表示することができる。
【００６４】
このため、例えば、放送コンテンツ受信ユニットを備える端末（例：テレビ）を用いて所定の放送チャンネルの放送コンテンツを視聴しているユーザは、任意のユーザ端末２０を操作し、当該放送チャンネルの関連コンテンツの要求を行うことで、その時点で放送されている放送コンテンツ（サブコンテンツ）に関連する関連コンテンツを、ユーザ端末２０を介して視聴することができる。
【００６５】
このように、本実施形態によれば、互いに独立して動作するウェブコンテンツ受信ユニット、及び、放送コンテンツ受信ユニットを用いて、互いに関連するウェブコンテンツ及び放送コンテンツを並行して視聴可能となる。
【００６６】
なお、本実施形態の場合、その時点で放送されている放送コンテンツ（サブコンテンツ）に関連する関連コンテンツを取得し、表示させるために、ウェブコンテンツ受信ユニットと放送コンテンツ受信ユニットとを協働させる必要がない。このため、ユーザは、任意の端末を用いて放送コンテンツを視聴しながら、任意の端末を用いて当該放送コンテンツに関連するウェブコンテンツ（関連コンテンツ）を視聴することができる。すなわち、このような視聴をするために使用する端末が制限されない。
【００６７】
このように、本実施形態によれば、当該視聴に利用する端末の選択及び端末の組み合わせの選択の自由度が大きい。また、これらの端末を協働させるための面倒な設定作業などを行う必要もない。このため、ユーザは容易に当該視聴を行うことができ、当該サービスの利用度が高くなることが期待される。
【００６８】
＜第２の実施形態＞
本実施形態のコンテンツ提供システムは、ユーザ端末２０が１つの放送チャンネルを指定して、その放送チャンネルの関連コンテンツのインデックス情報の要求を情報提供装置１０に送信し、情報提供装置１０が当該要求に応じてその放送チャンネルでその時に放送されている放送コンテンツに含まれる複数のサブコンテンツの関連コンテンツのインデックス情報をユーザ端末２０に送信する点で、第１の実施形態と異なる。その他の構成は、第１の実施系形態と同様とすることができる。
【００６９】
図７に、本実施形態の情報提供装置１０の機能ブロック図の一例を示す。図示するように、情報提供装置１０は、関連コンテンツ記憶部１１と、関連コンテンツ要求受信部１２と、関連コンテンツ送信部１３と、インデックス要求受信部１４と、インデックス送信部１５とを有する。関連コンテンツ要求受信部１２及び関連コンテンツ送信部１３の構成は、第１の実施形態と同様である。
【００７０】
関連コンテンツ記憶部１１は、関連コンテンツに加えて、各関連コンテンツのインデックス情報をさらに記憶する。インデックス情報は、関連コンテンツの内容を簡単に示すための情報であり、例えば、関連コンテンツの題名、関連コンテンツの一部分、関連コンテンツの概要等が該当する。このようなインデックス情報は、対応する関連コンテンツに比べて、データ量が小さくなる。インデックス情報は、例えば、テキストデータ、サムネイル画像、動画像、音声コンテンツのダイジェスト等で構成される。
【００７１】
図８に、関連コンテンツ記憶部１１が記憶する情報の一例を示す。図８に示す情報は、第１の実施形態で説明した図５の情報に、インデックス情報を加えたものである。インデックス情報は、各サブコンテンツに対応付けて記憶されている。関連コンテンツ記憶部１１のその他の構成は、第１の実施形態と同様である。
【００７２】
図７に戻り、インデックス要求受信部１４は、インターネット等のネットワークを介して、ユーザ端末２０から、１つの放送チャンネル（第１の放送チャンネル）の関連コンテンツのインデックス情報の要求を受信する。
【００７３】
インデックス要求受信部１４は、１つの放送チャンネルのみに対応し、当該放送チャンネルのインデックス情報の要求のみを受信するよう構成されてもよい。または、インデックス要求受信部１４は、複数の放送チャンネルに対応し、複数の放送チャンネルのインデックス情報の要求を受信するよう構成されてもよい。前者の場合、インデックス要求受信部１４が受信する要求の中に、放送チャンネルを指定する情報が含まれてもよいし、含まれていなくてもよい。後者の場合、インデックス要求受信部１４が受信する要求の中に、放送チャンネルを指定する情報が含まれる。
【００７４】
情報提供装置１０は、１つまたは複数のインデックス要求受信部１４を有することができる。情報提供装置１０が複数のインデックス要求受信部１４を有する場合、例えば、複数のインデックス要求受信部１４各々のアドレスを異ならせることで、所定の放送チャンネルのインデックス情報の要求が、所定のインデックス要求受信部１４に適切に受信されるようにしてもよい。
【００７５】
インデックス送信部１５は、インデックス要求受信部１４によるインデックス情報の要求の受信時又はユーザ端末２０ユーザ端末によるインデックス情報の要求の送信時に第１の放送チャンネルで放送されている放送コンテンツが含む複数のサブコンテンツの一部または全部に対応付けられた複数の関連コンテンツのインデックス情報を、ユーザ端末２０に送信する。
【００７６】
なお、要求の受信時及び送信時は、要求が受信されたちょうどその時、及び、送信されたちょうどその時のみならず、それらの時から多少前後した時も含む。このようにしても、現在放送中の放送コンテンツに関連する関連コンテンツのインデックス情報をユーザ端末２０に送信し、表示させるという、本実施形態の目的は達成される。
【００７７】
インデックス送信部１５は、例えば、インデックス要求受信部１４が上記要求を受信すると、それに応じて、インデックス要求受信部１４による当該要求の受信時又はユーザ端末２０による当該要求の送信時の時刻を示す時刻情報を取得する。例えば、当該要求の中に、ユーザ端末２０による当該要求の送信時の時刻が記載されていてもよい。そして、インデックス送信部１５は、それを取得してもよい。その他、インデックス要求受信部１４は、当該要求を受信すると、その時点の時刻を取得し、当該要求に対応付けてインデックス送信部１５に入力してもよい。その他、インデックス送信部１５は、インデックス要求受信部１４から当該要求の入力があると、それに応じて、その時点の時刻を取得し、当該要求に対応付けてもよい。
【００７８】
時刻情報を取得後、インデックス送信部１５は、「第１の放送チャンネルのインデックス情報の要求が、時刻情報で特定される時刻にあった場合に、返信するよう定められているインデックス情報」を関連コンテンツ記憶部１１から取り出し、ユーザ端末２０に送信する。
【００７９】
例えば、情報提供装置１０の管理者が、図８に示すような情報に基づいて、放送チャンネルごとに、放送コンテンツ各々の放送時間に基づいて場合分けし、時刻情報で特定される時刻が第ｎの放送コンテンツの放送時間である場合、第ｎの放送コンテンツが含むサブコンテンツに対応する関連コンテンツのインデックス情報を返信するよう設定、登録しておいてもよい。このように、インデックス送信部１５は、必ずしもインデックス情報の要求の受信時又はユーザ端末２０によるインデックス情報の要求の送信時に第１の放送チャンネルで放送されている「放送コンテンツ」を特定する必要はなく、結果的に当該放送コンテンツに関するインデックス情報をユーザ端末２０に送信できればよい。なお、インデックス送信部１５が、インデックス情報の要求の受信時又はユーザ端末２０によるインデックス情報の要求の送信時に第１の放送チャンネルで放送されている「放送コンテンツ」を特定するよう設計してもよい。第５の実施形態で、後者の例について説明する。
【００８０】
ところで、情報提供装置１０が１つのインデックス要求受信部１４のみを有し、当該インデックス要求受信部１４が１つの放送チャンネルのみに対応する場合、すなわち、情報提供装置１０が１つの放送チャンネルのみに対応する場合、インデックス送信部１５は、インデックス要求受信部１４から入力された要求がどの放送チャンネルのインデックス情報の要求かを特定する必要はない。
【００８１】
しかし、情報提供装置１０が複数の放送チャンネルに対応する場合、インデックス送信部１５は、インデックス要求受信部１４から入力された要求が、どの放送チャンネルのインデックス情報の要求かを特定する必要がある。
【００８２】
特定する手段は様々であるが、例えば、情報提供装置１０が１つの放送チャンネルに対応するインデックス要求受信部１４を複数有する場合、インデックス送信部１５は、要求を受信したインデックス要求受信部１４を特定することで、インデックス情報が要求されている放送チャンネルを特定してもよい。また、要求の中に、インデックス情報が要求されている放送チャンネルを特定する情報が含まれる場合、インデックス送信部１５は当該情報に基づいて、インデックス情報が要求されている放送チャンネルを特定してもよい。
【００８３】
図９に、本実施形態のユーザ端末２０の機能ブロック図の一例を示す。図示するように、ユーザ端末２０は、関連コンテンツ要求受付部２２と、関連コンテンツ要求送信部２３と、関連コンテンツ受信部２４と、関連コンテンツ表示部２５と、インデックス要求受付部２６と、インデックス要求送信部２７と、インデックス受信部２８と、インデックス表示部２９とを有する。関連コンテンツ要求送信部２３、関連コンテンツ受信部２４及び関連コンテンツ表示部２５の構成は、第１の実施形態と同様である。
【００８４】
インデックス要求受付部２６は、１つの放送チャンネルを指定してインデックス情報を要求するユーザ入力を受付ける。
【００８５】
例えば、インデックス要求受付部２６は、ユーザ入力に応じて、インデックス情報を要求するためのウェブページ、例えば情報提供装置１０を管理する管理者のウェブページを表示する。当該ウェブページは、１つの放送チャンネルを指定してインデックス情報を要求するユーザ入力を受付けるよう構成されている。例えば、放送チャンネルごとに、インデックス情報を要求するユーザ入力を受付けるボタンが表示されていてもよい。インデックス要求受付部２６は、例えばこのようなウェブページから、１つの放送チャンネルを指定してインデックス情報を要求するユーザ入力を受付ける。
【００８６】
インデックス要求送信部２７は、インデックス要求受付部２６によるユーザ入力の受付けに応じて、指定された放送チャンネルのインデックス情報の要求を情報提供装置１０に送信する。
【００８７】
例えば、インデックス要求受付部２６が取得し表示したウェブページに、情報提供装置１０のインデックス要求受信部１４のアドレス情報が埋め込まれている。インデックス要求送信部２７は、当該アドレス情報に基づいて、所定のインデックス要求受信部１４に要求を送信する。当該ウェブページに複数の放送チャンネル各々に対応したインデックス情報を要求するユーザ入力を受付けるＧＵＩ部品が複数表示されている場合、各ＧＵＩ部品への操作に応じて送信される要求の送信先アドレス（送信先となるインデックス要求受信部１４）は、互いに異なっていてもよい。なお、インデックス要求送信部２７が情報提供装置１０に送信する要求には、指定された放送チャンネルを識別する情報が含まれてもよい。
【００８８】
インデックス受信部２８は、インデックス要求送信部２７が送信したインデックス情報の要求に応じて情報提供装置１０のインデックス送信部１５から送信されてきたインデックス情報を受信する。
【００８９】
インデックス表示部２９は、インデックス受信部２８が受信したインデックス情報を、ディスプレイやスピーカ等の出力装置を介して出力する。例えば、インデックス表示部２９は、受信した複数のインデックス情報を一覧表示する。
【００９０】
なお、インデックス表示部２９は、インデックス受信部２８が受信した複数のインデックス情報を、現在の時刻に基づいて決定した表示態様で表示してもよい。すなわち、インデックス表示部２９は、現在の時刻に応じてインデックス情報の表示態様を変更してもよい。
【００９１】
複数のインデックス情報は、複数のサブコンテンツに対応する。そこで、インデックス表示部２９は、例えば、現在の時刻に放送されているサブコンテンツに対応するインデックス情報を、他のインデックス情報から識別可能な表示態様で表示してもよい。
【００９２】
例えば、インデックス表示部２９は、現在時刻に応じて複数のインデックス情報を並び替えることで、現在の時刻に放送されているサブコンテンツの関連コンテンツのインデックス情報を、他のインデックス情報から識別表示してもよい。例えば、インデックス表示部２９は、複数のインデックス情報を縦一列に並べて表示するとともに、現在の時刻に放送されているサブコンテンツの関連コンテンツのインデックス情報を最も上に表示してもよい。または、例えば、インデックス表示部２９は、複数のインデックス情報を横一列に並べて表示するとともに、現在の時刻に放送されているサブコンテンツの関連コンテンツのインデックス情報を最も左（又は右）に表示してもよい。
【００９３】
その他、インデックス表示部２９は、現在の時刻に放送されているサブコンテンツの関連コンテンツのインデックス情報を、他のインデックス情報よりも大きく表示したり、他のインデックス情報の表示エリアよりも大きい表示エリアで表示したりしてもよい。また、インデックス表示部２９は、点滅表示、暗転表示等の表示手段を用いて、上記識別表示を実現してもよい。
【００９４】
なお、インデックス表示部２９は、時間の経過により現在放送されているサブコンテンツが変化すると、変化後に放送されているサブコンテンツの関連コンテンツのインデックス情報を、他のインデックス情報から識別可能な表示態様で表示するよう、表示態様を自動的に変更してもよい。このようにした場合、時間の経過に従いインデックス表示部２９による表示態様が自動的に変化し、ユーザは、その時点で放送されているサブコンテンツが変更したことを把握できる。また、ユーザは、その時点で放送されているサブコンテンツに関連する関連コンテンツのインデックス情報を容易に把握することができる。
【００９５】
なお、インデックス表示部２９は、現在時刻を監視し、現在時刻に応じて予め定められた態様の表示を実行すればよく、必ずしも、その時点で放送されているサブコンテンツを特定したり、放送されているサブコンテンツが変化したことを特定したりする必要はない。なお、インデックス表示部２９が、その時点で放送されているサブコンテンツを特定したり、放送されているサブコンテンツが変化したことを特定したりするよう設計してもよい。この場合、情報提供装置１０からユーザ端末２０にサブコンテンツのタイムスケジュールが送信されてもよい。そして、インデックス表示部２９は、当該タイムスケジュールに基づいて、その時点で放送されているサブコンテンツを特定したり、放送されているサブコンテンツが変化したことを特定したりすることができる。
【００９６】
本実施形態の場合、第１の実施形態で説明した関連コンテンツ要求受付部２２は、インデックス表示部２９がインデックス情報を表示する表示画面から、１つの放送チャンネルを指定して関連コンテンツを要求するユーザ入力を受付けてもよい。この場合、指定される放送チャンネルは、インデックス情報が表示されている放送チャンネルとなる。
【００９７】
例えば、インデックス情報の一覧を表示する表示画面に、関連コンテンツを要求するユーザ入力を受付けるＧＵＩ部品が表示されていてもよい。そして、関連コンテンツ要求受付部２２は、当該ＧＵＩ部品への入力を受付けてもよい。その他の関連コンテンツ要求受付部２２の構成は、第１の実施形態と同様である。例えば、当該入力に応じて、画面表示が、インデッククス情報の一覧から、その時点で放送されているサブコンテンツに関連する関連情報の表示に変更される。
【００９８】
なお、インデックス情報の一覧を表示する表示画面において、現在放送されていないサブコンテンツの関連コンテンツのインデックス情報に対する操作を受付けると、ユーザ端末２０はそのインデックス情報の関連コンテンツの要求を情報提供装置１０に送信してもよい。そして、情報提供装置１０は当該要求に応じて所定の関連コンテンツを取り出し、ユーザ端末２０に返信してもよい。そして、ユーザ端末２０は受信した関連コンテンツを表示してもよい。この時、ユーザ端末２０は、表示中の関連コンテンツは、放送中のサブコンテンツに関連しないものであることを示す情報を併せて表示してもよい。
【００９９】
本実施形態によれば、第１の実施形態と同様の作用効果を実現することができる。また、本実施形態によれば、現在放送中の放送コンテンツに含まれる複数のサブコンテンツに関連する関連コンテンツのインデックス情報を、まとめて一覧表示させることができる。そして、その後の操作により、現在放送中のサブコンテンツに関連する関連コンテンツを表示させることができる。このような本実施形態によれば、ユーザは、ユーザ端末２０で表示される情報の階層を把握し、所望の操作を行えるようになる。また、ユーザは、インデックス情報の一覧を確認することで、その日の放送コンテンツ全体の概要を把握することができる。
【０１００】
＜第３の実施形態＞
本実施形態のコンテンツ提供システムは、ユーザ端末２０が関連コンテンツを保存するユーザ入力を受付け、その関連コンテンツを、対応するサブコンテンツの放送日時に対応付けて保存する点で、第１及び第２の実施形態と異なる。その他の構成は、第１及び第２の実施形態と同様である。本実施形態の情報提供装置１０の構成は、第１及び第２の実施形態と同様である。
【０１０１】
図１０に、本実施形態のユーザ端末２０の機能ブロック図の一例を示す。図示するように、ユーザ端末２０は、関連コンテンツ要求受付部２２と、関連コンテンツ要求送信部２３と、関連コンテンツ受信部２４と、関連コンテンツ表示部２５と、関連コンテンツ保存受付部３０と、関連コンテンツ保存部３１と、検索部３２とを有する。ユーザ端末２０は、さらに、インデックス要求受付部２６と、インデックス要求送信部２７と、インデックス受信部２８と、インデックス表示部２９とを備えてもよい。関連コンテンツ要求受付部２２、関連コンテンツ要求送信部２３、関連コンテンツ受信部２４、関連コンテンツ表示部２５、インデックス要求受付部２６、インデックス要求送信部２７、インデックス受信部２８及びインデックス表示部２９の構成は、第１及び第２の実施形態と同様である。
【０１０２】
関連コンテンツ保存受付部３０は、関連コンテンツを保存するユーザ入力を受付ける。例えば、関連コンテンツ保存受付部３０は、関連コンテンツ表示部２５により１つの関連コンテンツがディスプレイに表示されている状態で、その関連コンテンツを保存するユーザ入力を受付ける。または、関連コンテンツ保存受付部３０は、インデックス表示部２９により複数のインデックス情報がディスプレイに表示されている状態で、１つのインデックス情報を指定してそのインデックス情報の関連コンテンツを保存するユーザ入力を受付ける。
【０１０３】
関連コンテンツ保存部３１は、関連コンテンツを、当該関連コンテンツに対応するサブコンテンツの放送日時に対応付けて記憶する。
【０１０４】
例えば、関連コンテンツ保存受付部３０は、保存するユーザ入力を受付けると、それに応じて、当該関連コンテンツに対応するサブコンテンツの放送日時を取得する。例えば、当該関連コンテンツのメタデータ等に対応するサブコンテンツの放送日時が記載されている場合、関連コンテンツ保存受付部３０はメタデータから放送日時を取得する。その他、関連コンテンツ保存受付部３０は、保存するよう指定された関連コンテンツに対応するサブコンテンツの放送日時を、情報提供装置１０に問い合わせてもよい。そして、関連コンテンツ保存受付部３０は、放送日時を示す情報を取得すると、保存するよう指定された関連コンテンツのデータを、放送日時に対応付けて関連コンテンツ保存部３１に記憶させる。なお、複数のインデックス情報がディスプレイに表示されている状態で保存のユーザ入力を受付け、保存対象のデータがユーザ端末２０内に存在しない場合、関連コンテンツ保存受付部３０は、情報提供装置１０に所定の関連コンテンツを要求し、受信したデータを関連コンテンツ保存部３１に記憶させる。
【０１０５】
検索部３２は、放送日時をキーとして、関連コンテンツ保存部３１に記憶されている関連コンテンツを検索する。例えば、検索部３２は、放送日時を指定して関連コンテンツを検索するユーザ入力を受付ける。そして、検索部３２は、当該ユーザ入力に応じて、関連コンテンツ保存部３１を検索し、検索結果を出力する。その他、検索部３２は、キーワードをキーとした検索等を実行してもよい。
【０１０６】
本実施形態によれば、第１及び第２の実施形態と同様の作用効果を実現できる。また、本実施形態によれば、ユーザは、気になった関連コンテンツをユーザ端末２０に保存し、好きなタイミングでそれを呼び出して閲覧することができる。このように、本実施形態によれば、ユーザによる関連コンテンツの利用方法の自由度を高めることができる。また、本実施形態によれば、ユーザは、サブコンテンツの放送日時をキーとして、そのサブコンテンツの関連コンテンツを検索できる。このように、本実施形態によれば、検索のための適切なキーワードが見つからない場合に、所望の関連コンテンツを見つけ出すための有効な手段を提供できる。
【０１０７】
＜第４の実施形態＞
本実施形態のコンテンツ提供システムは、関連コンテンツの要求や、関連コンテンツの保存等のユーザ操作に基づいて、ユーザが関心を有する事項を特定し、以降、その事項に関する放送コンテンツがある場合には当該放送コンテンツをユーザにお勧めする機能を有する点で、第１乃至第３の実施形態と異なる。その他の構成は、第１乃至第３の実施形態と同様である。
【０１０８】
図１１に、本実施形態の情報提供装置１０の機能ブロック図の一例を示す。図示するように、情報提供装置１０は、関連コンテンツ記憶部１１と、関連コンテンツ要求受信部１２と、関連コンテンツ送信部１３と、ユーザ情報記憶部１６と、お勧め情報提供部１７とを有する。情報提供装置１０は、さらに、インデックス要求受信部１４と、インデックス送信部１５とを備えてもよい。関連コンテンツ記憶部１１、関連コンテンツ要求受信部１２、関連コンテンツ送信部１３、インデックス要求受信部１４及びインデックス送信部１５の構成は、第１乃至第３の実施形態と同様である。本実施形態のユーザ端末２０の構成は、第１乃至第３の実施形態と同様である。
【０１０９】
ユーザ情報記憶部１６は、ユーザごとに、関連コンテンツの要求を受付けたサブコンテンツに関する情報を記憶する。例えば、関連コンテンツを要求するウェブページから関連コンテンツを要求する操作の前に、当該ページを提供するサイトへのログインを要求してもよい。そして、情報提供装置１０は、当該ログイン情報に基づいて、各ユーザ端末２０を操作しているユーザのユーザＩＤを把握することで、各関連コンテンツの要求を送信してきたユーザを特定してもよい。
【０１１０】
サブコンテンツに関する情報は、例えば、サブコンテンツの内容を表すキーワードや、サブコンテンツのカテゴリ等であってもよい。このようなサブコンテンツに関する情報は、例えば、情報提供装置１０の管理者が生成し、情報提供装置１０に登録しておいてもよい。情報提供装置１０の管理者と放送コンテンツの制作者が異なる場合、放送コンテンツの制作者がサブコンテンツに関する情報を生成し、情報提供装置１０の管理者に渡してもよい。
【０１１１】
なお、ユーザ情報記憶部１６は、「関連コンテンツの要求を受付けたサブコンテンツに関する情報」に代えて又は加えて、「関連コンテンツを保存するユーザ入力を受付けたサブコンテンツに関する情報」を記憶してもよい。この場合、ユーザ端末２０は、関連コンテンツを保存するユーザ入力を受付けると、その旨、及び、当該関連コンテンツを識別する情報を情報提供装置１０に送信する。情報提供装置１０は、当該情報に基づいて、各ユーザがユーザ端末２０を操作して行った「関連コンテンツを保存するユーザ入力」を把握することができる。
【０１１２】
図１２に、ユーザ情報記憶部１６が記憶するユーザ情報の一例を模式的に示す。図示するユーザ情報は、ユーザＩＤに、キーワード（サブコンテンツに関する情報）を対応付けている。
【０１１３】
なお、ユーザ情報記憶部１６は、図１２に示すように、ユーザＩＤに、各ユーザが放送コンテンツを視聴する時間帯を示す視聴時間帯をさらに対応付けてもよい。視聴時間帯は、各ユーザからの入力に基づいて登録される。
【０１１４】
図１１に戻り、お勧め情報提供部１７は、ユーザ情報記憶部１６に記憶されているユーザ情報を利用して、ユーザにお勧めの放送コンテンツを特定し、出力する。
【０１１５】
例えば、放送コンテンツ製作者が製作する放送コンテンツ各々には、メタデータとして、各放送コンテンツの内容を表すキーワードやカテゴリが対応付けられる（例：図５、図８参照）。情報提供装置１０は、各放送コンテンツに対応付けられた当該メタデータを取得する。そして、お勧め情報提供部１７は、ユーザ情報記憶部１６に記憶されている「サブコンテンツに関する情報（キーワード、カテゴリ等）」と、各放送コンテンツに対応付けられたキーワードやカテゴリ等とを照合し、ユーザごとに、マッチングする放送コンテンツを特定する。
【０１１６】
なお、お勧め情報提供部１７は、上述のような照合で特定した放送コンテンツの中の、放送時間がユーザの視聴時間帯に含まれる放送コンテンツのみを、お勧めの放送コンテンツとして特定してもよい。
【０１１７】
お勧め情報提供部１７は、特定したお勧めの放送コンテンツを示すお勧め情報を、任意の手段でユーザに提供することができる。例えば、予め、ユーザごとにお勧め情報を受信するためのメールアドレスが登録されていてもよい。そして、お勧め情報提供部１７は、当該メールアドレスにお勧め情報を送信してもよい。その他、ユーザは、ユーザ端末２０を操作して関連コンテンツを要求するウェブページを提供するサイトにログイン後、そのサイト内にあるお勧め情報提供ページを表示させることで、お勧め情報を閲覧してもよい。なお、お勧め情報提供部１７は、お勧めの放送コンテンツの放送日時を併せて提示してもよい。
【０１１８】
本実施形態によれば、第１乃至第３の実施形態と同様の作用効果を実現することができる。また、本実施形態によれば、関連コンテンツの要求や、関連コンテンツの保存等のユーザ操作に基づいて、ユーザが関心を有する事項を特定し、以降、その事項に関する放送コンテンツがある場合には当該放送コンテンツをユーザにお勧めすることができる。このように、本実施形態によれば、ユーザに有益な情報を提供することが可能となる。
【０１１９】
＜第５の実施形態＞
本実施形態では、第１乃至第４の実施形態の構成を備えるコンテンツ提供システムの具体的な実現例を説明する。
【０１２０】
まず、図１３を用いて、本実施形態のコンテンツ提供システムの利用場面の一例を説明する。
【０１２１】
「１：ニュース視聴」において、ユーザは、放送コンテンツ受信ユニット（所定の放送波を受信するユニット）を備えた端末（以下、「テレビ」）を用いて、所定の放送チャンネルで放送中の放送コンテンツ、例えばニュース番組を視聴している。
【０１２２】
次に、「２：ポータルを表示」において、ユーザは、ウェブコンテンツ受信ユニット（インターネット等のネットワークに接続し、所定のサーバにアクセスして公開情報を受信するユニット）を備えた端末（以下、「スマートデバイス」）を操作し、視聴中の放送コンテンツに関連する関連コンテンツのポータル（インデックス情報の一覧）を表示させる。例えば、ユーザは、スマートデバイスを操作して所定のサイトにログイン後、当該サイト内の所定のページから、ポータルの要求を行う。
【０１２３】
図中、「２：ポータルを表示」の領域内の下方に、スマートデバイスに表示されるポータルの画面イメージを示す。図示する例のポータルの場合、「新聞記事」の文字により、関連コンテンツは新聞記事であることが示されている。そして、その下に、関連コンテンツのインデックス情報（ニュースタイトル）が一覧表示されている。当該ポータルにおいては、その時点で放送されているサブコンテンツに関連する関連コンテンツのインデックス情報が一番上に位置するように並べられている。
【０１２４】
次に、「３：記事をクリック」において、ユーザは、「新聞記事」の文字が対応付けられたＧＵＩ部品に対して操作（例：タップ）する。すると、「新聞記事」の文字以下に表示されていたインデックス情報の一覧に代えて、その時点で放送中のサブコンテンツに関連する関連コンテンツ（新聞記事）が表示される。
【０１２５】
次に、「４：記事を読む」において、ユーザは、テレビに表示されている放送コンテンツ（ニュース）を視聴しながら、スマートデバイスに表示されている関連コンテンツを視聴する。そして、ユーザは、その記事を視聴し終えると、ポータルに戻る操作（例：図中、「閉じる」に対応付いたＧＵＩ部品に対する操作）を行う。
【０１２６】
すると、「５：ポータルに戻る」に示すように、スマートデバイスにおける表示は、再びポータルに戻る。なお、放送中のサブコンテンツが変更している場合、複数のインデックス情報の並び順が変わり、その時点で放送されているサブコンテンツに関連する関連コンテンツのインデックス情報が一番上に位置する。
【０１２７】
一方、「４：記事を読む」において、その記事を保存することに決定したユーザは、その旨のユーザ入力（例：図中、クリップに対応付いたＧＵＩ部品に対する操作）を行う。
【０１２８】
すると、当該新聞記事がスマートデバイス内に保存され、「５´：記事をクリップ」に示すように、保存されたことを示す情報が提示される。なお、当該新聞記事は、関連するサブコンテンツの放送日時と対応付けて保存される。そして、以降、この放送日時をキーとして、当該新聞記事を検索することができる。
【０１２９】
なお、コンテンツ提供システムは、「４：記事を読む」における操作で保存された新聞記事に関する情報（キーワード、カテゴリ等）を各ユーザに対応付けて記憶する。そして、コンテンツ提供システムは、当該情報を利用して、各ユーザにお勧めの放送コンテンツを特定する。その他、コンテンツ提供システムは、「３：記事をクリック」における操作で表示するよう要求された新聞記事に関する情報（キーワード、カテゴリ等）を各ユーザに対応付けて記憶してもよい。そして、コンテンツ提供システムは、当該情報を利用して、各ユーザにお勧めの放送コンテンツを特定してもよい。
【０１３０】
そして、「６：放送時間を通知」に示すように、お勧めの放送コンテンツ及びその放送日時をユーザに提供する。
【０１３１】
このような処理は、例えば、図１４に示す８個の工程により実現される。以下、当該８個の工程各々について、図１５乃至図２７を用いて順に説明する。
【０１３２】
最初に、これらの図において使用している言葉の定義について説明する。
【０１３３】
「テキストＣＰ」は、テキストコンテンツプロバイダであり、テキストコンテンツを制作し、ネットワーク上で公開している企業（新聞社、出版社等）、団体、個人等を意味する。
「映像ＣＰ」は、映像コンテンツプロバイダであり、映像コンテンツを制作し、放送している企業（テレビ局等）、団体等を意味する。
「テキストコンテンツ」は、新聞、雑誌、書籍等、テキストデータからなる電子データを意味する。なお、静止画、動画、音声等のデータが一部に含まれてもよい。
「テキストメタ」は、テキストコンテンツに紐付くメタデータであり、例えば、テキストコンテンツの名称や概要等を意味する。
「映像コンテンツ」は、放送コンテンツであり、テレビ番組等の映像データを意味する。なお、映像コンテンツは音声を含んでもよい。
「映像メタ」は、映像コンテンツに紐付くメタデータであり、例えば、映像コンテンツの名称や放送日等を意味する。
「編成データ」は、映像コンテンツの放送日、放送開始時間等のデータである。編成データは、映像メタの一部であってもよい。
「端末ＩＤ」は、利用者や端末を特定するための識別子である。
【０１３４】
まず、図１５を用いて、「（１）映像・テキストコンテンツ紐付け」について説明する。本実施形態の場合、放送コンテンツはテレビ放送される映像コンテンツ（音声を含む）である。そして、関連コンテンツは、ネットワーク上で公開されているテキストコンテンツであり、例えば、新聞、雑誌、書籍等である。
【０１３５】
図示するように、テキストＣＰは、テキストコンテンツ及びそのメタデータ（テキストメタ）を制作すると、所定のサーバに保存し、ネットワーク上で公開する。
【０１３６】
映像ＣＰは、映像コンテンツ及びそのメタデータ（映像メタ）を制作すると、「映像・テキストコンテンツ紐付け」の工程で利用するため、映像メタを所定のデータベースに登録する。その後、映像ＣＰは、当該映像メタを利用してネットワーク上を検索し、関連コンテンツとするテキストコンテンツを特定する。映像ＣＰの処理の一部または全部を行うコンピュータが、第１乃至第４の実施形態の情報提供装置１０に相当する。
【０１３７】
例えば、映像ＣＰの作業者は、図１６に示すようなユーザインターフェイスを介して、所定の作業を行う。図１６（１）は、映像メタが登録されている複数の映像コンテンツの中から所望の映像コンテンツを検索し、作業対象として特定するためのユーザインターフェイスである。例えば、作業者は、映像コンテンツＩＤ、映像コンテンツ名、ジャンル等のキーワードを入力して検索指示入力を行う。すると、検索結果の一覧が表示される。ユーザは、一覧の中から所定の１つを特定し、作業対象とする入力を行う。これに応じて、図１６（２）のユーザインターフェイスが表示される。
【０１３８】
図１６（２）は、作業対象とした映像コンテンツに含まれる複数のサブコンテンツの中から、作業対象を特定するためのユーザインターフェイスである。図示するように、１つの映像コンテンツが特定されると、当該映像コンテンツが含む複数のサブコンテンツの一覧が表示される。サブコンテンツは、放送順に並んで表示されている。また、映像コンテンツの放送開始時点を基準とした各サブコンテンツの放送タイミングや、サブコンテンツの名称や、サブコンテンツの内容を示すキーワード等が示されている。この一覧部分の表示を右方向にスライドさせると、図１６（３）になる。
【０１３９】
図１６（３）に示すように、各サブコンテンツにテキストコンテンツを対応付ける欄が存在する。図１６（３）においては、いずれも当該欄は空欄になっている。すなわち、現時点において、どのサブコンテンツにもテキストコンテンツが対応付けられていない。作業者は、図示するように、テキストコンテンツが対応付けられていないサブコンテンツの中の任意の１つを作業対象とする入力を行う。これに応じて、図１６（４）のユーザインターフェイスが表示される。
【０１４０】
図１６（４）は、作業対象としたサブコンテンツに関連するテキストコンテンツを検索し、結果を表示するためのユーザインターフェイスである。なお、検索条件の初期値として、映像メタに含まれていた情報（映像コンテンツのジャンル、サブコンテンツのキーワード）が入っているが、これは変更可能である。作業者は、検索条件を設定後、検索指示入力を行う。すると、図１５に示すように、映像ＣＰのコンピュータは、予め設定されているテキストＣＰのサーバに検索条件を送信する。テキストＣＰのサーバは受信した検索条件で自装置内に記憶されているテキストコンテンツを検索し（例：テキストメタを利用して検索）、検索結果を映像ＣＰのコンピュータに返信する。検索結果には、検索に一致する１つまたは複数のテキストコンテンツのメタデータが含まれる。なお、検索に一致するテキストコンテンツがない場合、検索結果にはその旨を示す情報が含まれる。
【０１４１】
映像ＣＰのコンピュータは、検索結果を受信すると、図１６（４）に示すようにその結果を一覧表示する。作業者は、当該一覧の中から１つのテキストコンテンツを指定し、その詳細を表示させる指示入力を行う。すると、図１５に示すように、映像ＣＰのコンピュータは、指定されたテキストコンテンツの要求を、テキストＣＰのサーバに送信する。その後、テキストＣＰのサーバは、当該要求に応じて所定のテキストコンテンツを返信する。
【０１４２】
映像ＣＰのコンピュータは、テキストコンテンツを受信すると、図１６（５）に示すようにそのテキストコンテンツを表示する。作業者は、そのテキストコンテンツの内容を確認し、そのテキストコンテンツを作業対象のサブコンテンツに対応付けて登録するか決定する。登録しないように決定した場合、その旨を示す入力を行う（「キャンセル」に対する操作）。すると、図１６（４）に示すユーザインターフェイスに戻る。
【０１４３】
一方、登録するように決定した場合、その旨を示す入力を行う（「ＯＫ」に対する操作）。すると、そのテキストコンテンツが作業対象のサブコンテンツに対応付けて登録され、図１６（６）に示すユーザインターフェイスが表示される。当該ユーザインターフェイスにおいては、作業対象であったサブコンテンツに、登録するよう決定したテキストコンテンツが対応付けられている。
【０１４４】
作業者は上記処理を繰り返し、複数のサブコンテンツ各々にテキストコンテンツを対応付ける。
【０１４５】
次に、図１７を用いて、「（２）映像コンテンツの編成」について説明する。映像コンテンツの編成とは、複数の映像コンテンツの放送スケジュール（タイムスケジュール）を決定することである。すなわち、映像コンテンツの編成とは、各映像コンテンツの放送日時を決定することである。各映像コンテンツの放送日時が決定されると、その情報（編成データ）がデータベースに登録される。なお、ここで、編成データが３０時間制等になっている場合、２４時間制に変更してもよい。編成データの登録により、サブコンテンツの放送日時が対応付く。
【０１４６】
例えば、映像ＣＰの作業者は、編成データの登録後、図１８（１）に示すユーザインターフェイスから１つの映像コンテンツを作業対象とする入力を行うと、これに応じて、図１８（２）に示すユーザインターフェイスが表示される。なお、図１８（１）に示すユーザインターフェイスは図１６（１）に示すユーザインターフェイスに対応し、図１８（２）に示すユーザインターフェイスは図１６（２）に示すユーザインターフェイスに対応する。これらのユーザインターフェイスは、当該映像コンテンツの編成データが登録される前（図１６）と、後（図１８）という相違があり、当該相違に応じて表示内容が異なっている。
【０１４７】
図１６（２）と図１８（２）に示すユーザインターフェイスを比較すると、放送日、放送開始時間、放送終了時間が空欄か、埋められているかという相違がある。図１８（２）の場合、データベースに登録された当該映像コンテンツの編成データを参照することで、これらの情報が埋められる。このように、映像コンテンツの放送日時が決定することで、各サブコンテンツの放送日時も定まる。
【０１４８】
ここまでの作業を終えた作業者は、図１８（２）に示すユーザインターフェイスから、当該映像コンテンツに対応付けられたテキストコンテンツを公開する指示入力を行う（「公開」に対する操作）。すると、図１７に示すように、当該映像コンテンツに対応付けられたテキストコンテンツ等のデータが、公開用のサーバにアップされる。
【０１４９】
次に、図１９を用いて、「（３）映像コンテンツの放送」について説明する。映像ＣＰは、制作した映像コンテンツを、所定のタイムスケジュールに従い放送する。視聴者は、映像コンテンツを受信するユニットを備えた端末（テレビ）を用いて映像コンテンツを受信し、視聴する。なお、映像ＣＰは、当該映像コンテンツの放送が開示される前に、当該映像コンテンツに関するテキストコンテンツを公開用のサーバにアップしておく。
【０１５０】
映像コンテンツを視聴しているユーザは、任意のスマートデバイス（第１乃至第ユーザ端末２０に相当）を操作し、当該放送チャンネルに対応する放送局のサイトにログインし、所定のウェブページを表示させる。当該ウェブページは、例えば、放送局、放送コンテンツ、サブコンテンツ、放送スケジュール等の紹介ページや、１つの放送チャンネルを指定して、放送中の映像コンテンツに関連するテキストコンテンツのポータル（インデックス情報の一覧）を要求するページ等が含まれる。
【０１５１】
その後、ユーザは、スマートデバイスを操作してポータルを要求するページを表示させ、例えば当該ページにおける所定のＧＵＩ部品に対する操作により、１つの放送チャンネルのポータルの要求を入力する。すると、ユーザ端末２０は、当該ページ内に埋め込まれていたアドレス情報に基づいて、所定のＷｅｂサーバに当該放送チャンネルのポータルの要求を送信する。
【０１５２】
要求を受信したＷｅｂサーバは、現在時刻を取得し、映像メタ等を利用して、現在放送中の映像コンテンツを特定する。その後、Ｗｅｂサーバは、特定した映像コンテンツに対応付けられている複数のテキストデータのテキストメタ（コンテンツ名、概要など）や、サブコンテンツのタイムスケジュール（放送スケジュール）を示す編成データ等を、スマートデバイスに返信する。
【０１５３】
情報を受信したスマートデバイスは、編成データ及び現在時刻に基づいて複数のインデックス情報（複数のテキストデータのテキストメタ各々から抽出した情報）の表示順を決定し、決定した表示態様でインデックス情報を並べて一覧表示する。結果、図示するようなポータルがスマートデバイスに表示される。当該ポータルにおいては、現在放送中のサブコンテンツに関するインデックス情報が最も上に表示されている。そして、現在放送中のサブコンテンツに関するインデックス情報は、テキストデータのコンテンツ名、及び、テキストデータの一部が表示されている。その他のサブコンテンツに関するインデックス情報は、テキストデータのコンテンツ名のみが表示されている。
【０１５４】
次に、図２０を用いて、「（４）テキストコンテンツの表示」について説明する。図１９に示すように、スマートデバイスにポータルを表示させているユーザは、現在放送中のサブコンテンツに関連するテキストコンテンツの表示指示入力を行う。すると、スマートデバイスからＷｅｂサーバに当該要求が送信され、Ｗｅｂサーバからスマートデバイスに指定されたテキストコンテンツが返信される。スマートデバイスは受信したテキストコンテンツを表示する。結果、図示するように、スマートデバイスの画面表示が切り替わる。
【０１５５】
なお、Ｗｅｂサーバは、テキストコンテンツの要求を受付けると、ユーザＩＤに対応付けて、そのテキストコンテンツに関連する情報（キーワード、ジャンル等）を記憶する。
【０１５６】
次に、図２１を用いて、「（５）テキストコンテンツの保存」について説明する。図２１に示すように、スマートデバイスにテキストコンテンツを表示させているユーザは、ポータルの表示に戻す入力（「閉じる」に対する操作）、又は、表示中のテキストコンテンツを保存する入力（「クリップ」に対する操作）を行う。
【０１５７】
表示中のテキストコンテンツを保存する入力（「クリップ」に対する操作）を受付けたスマートデバイスは、当該入力に応じてそのテキストコンテンツを、対応するサブコンテンツの放送日時に対応付けて、自装置内の記憶装置に保存する。そして、図示するように、保存したことを示す画面表示を行う。
【０１５８】
次に、図２２を用いて、「（６）保存テキストコンテンツの表示」について説明する。ユーザは、スマートデバイスに対する任意の操作により、保存したテキストコンテンツを検索する画面を表示させる。図示する例では、放送期間やキーワード等を検索条件として設定できるようになっている。ユーザは、検索したいテキストコンテンツのキーワードや、当該テキストコンテンツに関連するサブコンテンツが放送されていた時刻を含む放送期間等を設定したのち、検索指示入力を行う。すると、スマートデバイスは入力された検索条件をキーとして検索を行い、検索結果として、マッチングするテキストコンテンツの一覧（例：コンテンツの名称の一覧）を表示する。ユーザは、その中から所望の１つを選択して、テキストコンテンツを表示させる指示入力を行う。すると、スマートデバイスは、指定されたテキストコンテンツを表示する。
【０１５９】
次に、図２３を用いて、「（７）保存テキストコンテンツの表示終了」について説明する。図２３（１）に示すようなポータルを表示中に、図２３（２）に示すようにテキストコンテンツを呼び出した後、ユーザは、ポータルの表示に戻す入力（「閉じる」に対する操作）、又は、表示中のテキストコンテンツを保存する入力（「クリップ」に対する操作）を行う。
【０１６０】
ポータルの表示に戻す入力（「閉じる」に対する操作）を受付けたスマートデバイスは、現在時刻を取得する。そして、現在保持しているポータルの情報（インデックス情報）に対応する映像コンテンツが、いまだ放送中か判断する。放送中である場合、スマートデバイスは保持している情報を用い、現在時刻に適した表示態様、すなわち、現在放送中のサブコンテンツに関するインデックス情報が最も上に表示される並び順で、複数のインデックス情報を表示する。結果、スマートデバイスの表示が図２３（３）に示すようになる。
【０１６１】
次に、図２４を用いて、「（７）保存テキストコンテンツの表示終了」の他の例について説明する。図２４（１）に示すようなポータルを表示中に、図２４（２）に示すようにテキストコンテンツを呼び出した後、ユーザは、ポータルの表示に戻す入力（「閉じる」に対する操作）、又は、表示中のテキストコンテンツを保存する入力（「クリップ」に対する操作）を行う。
【０１６２】
ポータルの表示に戻す入力（「閉じる」に対する操作）を受付けたスマートデバイスは、現在時刻を取得する。そして、現在保持しているポータルの情報（インデックス情報）に対応する映像コンテンツが、いまだ放送中か判断する。放送中でない場合、スマートデバイスは、所定のＷｅｂサーバにポータルの情報を要求する。すると、Ｗｅｂサーバは、現在放送中の映像コンテンツに関するポータルの情報をスマートデバイスに返信する。スマートデバイスは、受信した情報を用い、現在時刻に適した表示態様、すなわち、現在放送中のサブコンテンツに関するインデックス情報が最も上に表示される並び順で、複数のインデックス情報を表示する。結果、スマートデバイスの表示が図２４（３）に示すようになる。
【０１６３】
次に、図２５を用いて、「（８）映像コンテンツのレコメンド」におけるレコメンドデータ生成処理について説明する。図２０を用いて説明したように、スマートデバイスからＷｅｂサーバにテキストコンテンツの要求が送信され、Ｗｅｂサーバが当該要求を受信すると、ＷｅｂサーバはユーザＩＤに対応付けて、そのテキストコンテンツに関連する情報（キーワード、ジャンル等）を記憶する。なお、ユーザＩＤに代えて、スマートデバイスの端末ＩＤを対応付けてもよい。また、Ｗｅｂサーバは、任意の手段で、各ユーザから、各ユーザが映像コンテンツを視聴する視聴時間帯の入力を受付け、登録することができる。以下、当該処理で生成された情報を、ユーザ情報という。
【０１６４】
次に、図２６を用いて、「（８）映像コンテンツのレコメンド」における編成データ追加について説明する。映像ＣＰのコンピュータは、映像メタ、編成データ及びユーザ情報を利用して、各ユーザにお勧めの映像コンテンツを特定する。当然、放送前の映像コンテンツが検索対象となる。例えば、映像ＣＰのコンピュータは、各ユーザに対応付けられているキーワード、ジャンル、視聴時間（放送時間）等がマッチングする映像コンテンツを特定する。そして、特定した映像コンテンツを各ユーザに対応付けてＷｅｂサーバに記憶する。
【０１６５】
次に、図２７を用いて、「（８）映像コンテンツのレコメンド」における通知について説明する。ユーザは、スマートデバイスを用い、任意の手段でレコメンド情報（お勧め情報）の要求をＷｅｂサーバに送信する。図示する例では、ポータルを表示している画面において、画面を下方向にスクロールさせる操作を行うと、レコメンド情報（お勧め情報）の要求が入力される。Ｗｅｂサーバは当該要求に応じて所定のレコメンド情報を返信する。そして、スマートデバイスは、受信したレコメンド情報を表示する。結果、ユーザは、レコメンド情報を確認できる。
【０１６６】
以上説明した本実施形態によれば、第１乃至第４の実施形態と同様の作用効果を実現できる。
【０１６７】
以下、参考形態の例を付記する。
１．  予め定められたタイムスケジュールに従い複数のサブコンテンツが表示される放送コンテンツの前記サブコンテンツ各々に、関連コンテンツを対応付けて記憶している関連コンテンツ記憶手段と、
ユーザ端末から、前記関連コンテンツの要求を受信する関連コンテンツ要求受信手段と、
前記関連コンテンツの要求の受信時又は前記ユーザ端末による前記関連コンテンツの要求の送信時に放送されている前記サブコンテンツに対応付けられた前記関連コンテンツを前記ユーザ端末に送信する関連コンテンツ送信手段と、
を有する情報提供装置。
２．  １に記載の情報提供装置において、
前記関連コンテンツ記憶手段は、放送チャンネルごとに前記関連コンテンツを記憶し、
前記関連コンテンツ要求受信手段は、所定の前記放送チャンネルの前記関連コンテンツの要求を受信し、
前記関連コンテンツ送信手段は、前記所定の放送チャンネルで放送されている前記サブコンテンツに対応付けられた前記関連コンテンツを前記ユーザ端末に送信する情報提供装置。
３．  １又は２に記載の情報提供装置において、
前記ユーザ端末から、前記関連コンテンツのインデックス情報の要求を受信するインデックス要求受信手段と、
前記インデックス情報の要求の受信時又は前記ユーザ端末による前記インデックス情報の要求の送信時に放送されている前記放送コンテンツが含む複数の前記サブコンテンツに対応付けられた複数の前記関連コンテンツの前記インデックス情報を前記ユーザ端末に送信するインデックス送信手段と、
をさらに有する情報提供装置。
４．  ３に記載の情報提供装置において、
前記インデックス要求受信手段は、所定の前記放送チャンネルの前記関連コンテンツの前記インデックス情報の要求を受信し、
前記インデックス送信手段は、前記所定の放送チャンネルで放送されている前記放送コンテンツが含む複数の前記サブコンテンツに対応付けられた複数の前記関連コンテンツの前記インデックス情報を前記ユーザ端末に送信する情報提供装置。
５．  １から４のいずれかに記載の情報提供装置において、
ユーザごとに、前記関連コンテンツの要求を受付けた前記サブコンテンツに関する情報を記憶するユーザ情報記憶手段と、
前記ユーザ情報記憶手段に記憶されている前記情報を利用して、前記ユーザにお勧めの前記放送コンテンツを特定し、出力するお勧め情報提供手段と、
をさらに有する情報提供装置。
６．  １から５のいずれかに記載の情報提供装置において、
ユーザごとに、前記関連コンテンツを保存するユーザ入力を受付けた前記サブコンテンツに関する情報を記憶するユーザ情報記憶手段と、
前記ユーザ情報記憶手段に記憶されている前記情報を利用して、前記ユーザにお勧めの前記放送コンテンツを特定し、出力するお勧め情報提供手段と、
をさらに有する情報提供装置。
７．  ５又は６に記載の情報提供装置において、
前記ユーザ情報記憶手段は、前記ユーザごとに、前記ユーザから受付けた前記放送コンテンツを視聴する時間帯を記憶し、
前記お勧め情報提供手段は、前記時間帯に放送される前記放送コンテンツをお勧めとして特定する情報提供装置。
８．  予め定められたタイムスケジュールに従い複数のサブコンテンツが表示される放送コンテンツの前記サブコンテンツ各々に対応付けられた関連コンテンツを要求するユーザ入力を受付ける関連コンテンツ要求受付手段と、
前記関連コンテンツの要求を情報提供装置に送信する関連コンテンツ要求送信手段と、
前記関連コンテンツの要求に応じて前記情報提供装置から送信されてきた前記関連コンテンツを受信する関連コンテンツ受信手段と、
前記関連コンテンツを表示する関連コンテンツ表示手段と、
を有するユーザ端末。
９．  ８に記載のユーザ端末において、
前記関連コンテンツ要求受付手段は、１つの放送チャンネルを指定して、前記関連コンテンツの要求を受付け、
前記関連コンテンツ要求送信手段は、指定された前記放送チャンネルの前記関連コンテンツの要求を前記情報提供装置に送信するユーザ端末。
１０．  ８又は９に記載のユーザ端末において、
前記関連コンテンツのインデックス情報を要求するユーザ入力を受付けるインデックス要求受付手段と、
前記インデックス情報の要求を前記情報提供装置に送信するインデックス要求送信手段と、
前記インデックス情報の要求に応じて前記情報提供装置から送信されてきた前記インデックス情報を受信するインデックス受信手段と、
前記インデックス情報を表示するインデックス表示手段と、
を有するユーザ端末。
１１．  １０に記載のユーザ端末において、
前記インデックス要求受付手段は、１つの前記放送チャンネルを指定して、前記インデックス情報の要求を受付け、
前記インデックス要求送信手段は、指定された前記放送チャンネルの前記インデックス情報の要求を前記情報提供装置に送信するユーザ端末。
１２．  １０又は１１に記載のユーザ端末において、
前記インデックス表示手段は、前記インデックス受信手段が受信した複数の前記インデックス情報を、現在の時刻に基づいて決定した表示態様で表示するユーザ端末。
１３．  １２に記載のユーザ端末において、
前記インデックス表示手段は、現在の時刻に放送されている前記サブコンテンツの前記関連コンテンツの前記インデックス情報を、他の前記インデックス情報から識別可能な表示態様で表示するユーザ端末。
１４．  １３に記載のユーザ端末において、
前記インデックス表示手段は、時間の経過により現在放送されている前記サブコンテンツが変化すると、変化後に放送されている前記サブコンテンツの前記関連コンテンツの前記インデックス情報を、他の前記インデックス情報から識別可能な表示態様で表示するよう、表示態様を変更するユーザ端末。
１５．  ８から１４のいずれかに記載のユーザ端末において、
前記関連コンテンツを保存するユーザ入力を受付ける関連コンテンツ保存受付手段と、
保存する前記ユーザ入力を受付けた前記関連コンテンツを、当該関連コンテンツに対応する前記サブコンテンツの放送日時に対応付けて記憶する関連コンテンツ保存手段と、
前記放送日時をキーとして前記関連コンテンツ保存手段に記憶されている前記関連コンテンツを検索する検索手段と、
をさらに有するユーザ端末。
１６．  １から７のいずれかに記載の情報提供装置と、８から１５のいずれかに記載のユーザ端末と、を有するコンテンツ提供システム。
１７．  コンピュータを、
予め定められたタイムスケジュールに従い複数のサブコンテンツが表示される放送コンテンツの前記サブコンテンツ各々に、関連コンテンツを対応付けて記憶している関連コンテンツ記憶手段、
ユーザ端末から、前記関連コンテンツの要求を受信する関連コンテンツ要求受信手段、
前記関連コンテンツの要求の受信時又は前記ユーザ端末による前記関連コンテンツの要求の送信時に放送されている前記サブコンテンツに対応付けられた前記関連コンテンツを前記ユーザ端末に送信する関連コンテンツ送信手段、
として機能させるためのプログラム。
１７−２．  １７に記載のプログラムにおいて、
前記関連コンテンツ記憶手段に、放送チャンネルごとに前記関連コンテンツを記憶させ、
前記関連コンテンツ要求受信手段に、所定の前記放送チャンネルの前記関連コンテンツの要求を受信させ、
前記関連コンテンツ送信手段に、前記所定の放送チャンネルで放送されている前記サブコンテンツに対応付けられた前記関連コンテンツを前記ユーザ端末に送信させるプログラム。
１７−３．  １７又は１７−２に記載のプログラムにおいて、
前記コンピュータを、さらに、
前記ユーザ端末から、前記関連コンテンツのインデックス情報の要求を受信するインデックス要求受信手段、
前記インデックス情報の要求の受信時又は前記ユーザ端末による前記インデックス情報の要求の送信時に放送されている前記放送コンテンツが含む複数の前記サブコンテンツに対応付けられた複数の前記関連コンテンツの前記インデックス情報を前記ユーザ端末に送信するインデックス送信手段、
として機能させるためのプログラム。
１７−４．  １７−３に記載のプログラムにおいて、
前記インデックス要求受信手段に、所定の前記放送チャンネルの前記関連コンテンツの前記インデックス情報の要求を受信させ、
前記インデックス送信手段に、前記所定の放送チャンネルで放送されている前記放送コンテンツが含む複数の前記サブコンテンツに対応付けられた複数の前記関連コンテンツの前記インデックス情報を前記ユーザ端末に送信させるプログラム。
１７−５．  １７から１７−４のいずれかに記載のプログラムにおいて、
前記コンピュータを、さらに、
ユーザごとに、前記関連コンテンツの要求を受付けた前記サブコンテンツに関する情報を記憶するユーザ情報記憶手段、
前記ユーザ情報記憶手段に記憶されている前記情報を利用して、前記ユーザにお勧めの前記放送コンテンツを特定し、出力するお勧め情報提供手段、
として機能させるためのプログラム。
１７−６．  １７から１７−５のいずれかに記載のプログラムにおいて、
前記コンピュータを、さらに、
ユーザごとに、前記関連コンテンツを保存するユーザ入力を受付けた前記サブコンテンツに関する情報を記憶するユーザ情報記憶手段、
前記ユーザ情報記憶手段に記憶されている前記情報を利用して、前記ユーザにお勧めの前記放送コンテンツを特定し、出力するお勧め情報提供手段、
として機能させるためのプログラム。
１７−７．  １７−５又は１７−６に記載のプログラムにおいて、
前記ユーザ情報記憶手段に、前記ユーザごとに、前記ユーザから受付けた前記放送コンテンツを視聴する時間帯を記憶させ、
前記お勧め情報提供手段に、前記時間帯に放送される前記放送コンテンツをお勧めとして特定させるプログラム。
１８．  コンピュータが、
予め定められたタイムスケジュールに従い複数のサブコンテンツが表示される放送コンテンツの前記サブコンテンツ各々に、関連コンテンツを対応付けて記憶しておき、
ユーザ端末から、前記関連コンテンツの要求を受信する関連コンテンツ要求受信工程と、
前記関連コンテンツの要求の受信時又は前記ユーザ端末による前記関連コンテンツの要求の送信時に放送されている前記サブコンテンツに対応付けられた前記関連コンテンツを前記ユーザ端末に送信する関連コンテンツ送信工程と、
を実行する情報提供装置の動作方法。
１８−２．  １８に記載の情報提供装置の動作方法において、
前記コンピュータは、放送チャンネルごとに前記関連コンテンツを記憶しておき、
前記関連コンテンツ要求受信工程では、所定の前記放送チャンネルの前記関連コンテンツの要求を受信し、
前記関連コンテンツ送信工程では、前記所定の放送チャンネルで放送されている前記サブコンテンツに対応付けられた前記関連コンテンツを前記ユーザ端末に送信する情報提供装置の動作方法。
１８−３．  １８又は１８−２に記載の情報提供装置の動作方法において、
前記コンピュータが、さらに、
前記ユーザ端末から、前記関連コンテンツのインデックス情報の要求を受信するインデックス要求受信工程と、
前記インデックス情報の要求の受信時又は前記ユーザ端末による前記インデックス情報の要求の送信時に放送されている前記放送コンテンツが含む複数の前記サブコンテンツに対応付けられた複数の前記関連コンテンツの前記インデックス情報を前記ユーザ端末に送信するインデックス送信工程と、
を実行する情報提供装置の動作方法。
１８−４．  １８−３に記載の情報提供装置の動作方法において、
前記インデックス要求受信工程では、所定の前記放送チャンネルの前記関連コンテンツの前記インデックス情報の要求を受信し、
前記インデックス送信工程では、前記所定の放送チャンネルで放送されている前記放送コンテンツが含む複数の前記サブコンテンツに対応付けられた複数の前記関連コンテンツの前記インデックス情報を前記ユーザ端末に送信する情報提供装置の動作方法。
１８−５．  １８から１８−４のいずれかに記載の情報提供装置の動作方法において、
前記コンピュータは、ユーザごとに、前記関連コンテンツの要求を受付けた前記サブコンテンツに関する情報を記憶しておき、
前記情報を利用して、前記ユーザにお勧めの前記放送コンテンツを特定し、出力するお勧め情報提供工程をさらに実行する情報提供装置の動作方法。
１８−６．  １８から１８−５のいずれかに記載の情報提供装置の動作方法において、
前記コンピュータは、ユーザごとに、前記関連コンテンツを保存するユーザ入力を受付けた前記サブコンテンツに関する情報を記憶しておき、
前記情報を利用して、前記ユーザにお勧めの前記放送コンテンツを特定し、出力するお勧め情報提供工程をさらに実行する情報提供装置の動作方法。
１８−７．  １８−５又は１８−６に記載の情報提供装置の動作方法において、
前記コンピュータは、前記ユーザごとに、前記ユーザから受付けた前記放送コンテンツを視聴する時間帯を記憶しておき、
前記お勧め情報提供工程では、前記時間帯に放送される前記放送コンテンツをお勧めとして特定する情報提供装置の動作方法。
１９．  コンピュータを、
予め定められたタイムスケジュールに従い複数のサブコンテンツが表示される放送コンテンツの前記サブコンテンツ各々に対応付けられた関連コンテンツを要求するユーザ入力を受付ける関連コンテンツ要求受付手段、
前記関連コンテンツの要求を情報提供装置に送信する関連コンテンツ要求送信手段、
前記関連コンテンツの要求に応じて前記情報提供装置から送信されてきた前記関連コンテンツを受信する関連コンテンツ受信手段、
前記関連コンテンツを表示する関連コンテンツ表示手段、
として機能させるためのプログラム。
１９−２．  １９に記載のプログラムにおいて、
前記関連コンテンツ要求受付手段に、１つの放送チャンネルを指定して、前記関連コンテンツの要求を受付けさせ、
前記関連コンテンツ要求送信手段に、指定された前記放送チャンネルの前記関連コンテンツの要求を前記情報提供装置に送信させるプログラム。
１９−３．  １９又は１９−２に記載のプログラムにおいて、
前記コンピュータを、さらに、
前記関連コンテンツのインデックス情報を要求するユーザ入力を受付けるインデックス要求受付手段、
前記インデックス情報の要求を前記情報提供装置に送信するインデックス要求送信手段、
前記インデックス情報の要求に応じて前記情報提供装置から送信されてきた前記インデックス情報を受信するインデックス受信手段、
前記インデックス情報を表示するインデックス表示手段、
として機能させるためのプログラム。
１９−４．  １９−３に記載のプログラムにおいて、
前記インデックス要求受付手段に、１つの前記放送チャンネルを指定して、前記インデックス情報の要求を受付けさせ、
前記インデックス要求送信手段に、指定された前記放送チャンネルの前記インデックス情報の要求を前記情報提供装置に送信させるプログラム。
１９−５．  １９−３又は１９−４に記載のプログラムにおいて、
前記インデックス表示手段に、前記インデックス受信手段が受信した複数の前記インデックス情報を、現在の時刻に基づいて決定した表示態様で表示させるプログラム。
１９−６．  １９−５に記載のプログラムにおいて、
前記インデックス表示手段に、現在の時刻に放送されている前記サブコンテンツの前記関連コンテンツの前記インデックス情報を、他の前記インデックス情報から識別可能な表示態様で表示させるプログラム。
１９−７．  １９−６に記載のプログラムにおいて、
前記インデックス表示手段に、時間の経過により現在放送されている前記サブコンテンツが変化すると、変化後に放送されている前記サブコンテンツの前記関連コンテンツの前記インデックス情報を、他の前記インデックス情報から識別可能な表示態様で表示するよう、表示態様を変更させるプログラム。
１９−８．  １９から１９−７のいずれかに記載のプログラムにおいて、
前記コンピュータを、さらに、
前記関連コンテンツを保存するユーザ入力を受付ける関連コンテンツ保存受付手段、
保存する前記ユーザ入力を受付けた前記関連コンテンツを、当該関連コンテンツに対応する前記サブコンテンツの放送日時に対応付けて記憶する関連コンテンツ保存手段、
前記放送日時をキーとして前記関連コンテンツ保存手段に記憶されている前記関連コンテンツを検索する検索手段、
として機能させるためのプログラム。
２０．  コンピュータが、
予め定められたタイムスケジュールに従い複数のサブコンテンツが表示される放送コンテンツの前記サブコンテンツ各々に対応付けられた関連コンテンツを要求するユーザ入力を受付ける関連コンテンツ要求受付工程と、
前記関連コンテンツの要求を情報提供装置に送信する関連コンテンツ要求送信工程と、
前記関連コンテンツの要求に応じて前記情報提供装置から送信されてきた前記関連コンテンツを受信する関連コンテンツ受信工程と、
前記関連コンテンツを表示する関連コンテンツ表示工程と、
を実行するユーザ端末の動作方法。
２０−２．  ２０に記載のユーザ端末の動作方法において、
前記関連コンテンツ要求受付工程では、１つの放送チャンネルを指定して、前記関連コンテンツの要求を受付け、
前記関連コンテンツ要求送信工程では、指定された前記放送チャンネルの前記関連コンテンツの要求を前記情報提供装置に送信するユーザ端末の動作方法。
２０−３．  ２０又は２０−２に記載のユーザ端末の動作方法において、
前記コンピュータが、さらに、
前記関連コンテンツのインデックス情報を要求するユーザ入力を受付けるインデックス要求受付工程と、
前記インデックス情報の要求を前記情報提供装置に送信するインデックス要求送信工程と、
前記インデックス情報の要求に応じて前記情報提供装置から送信されてきた前記インデックス情報を受信するインデックス受信工程と、
前記インデックス情報を表示するインデックス表示工程と、
を実行するユーザ端末の動作方法。
２０−４．  ２０−３に記載のユーザ端末の動作方法において、
前記インデックス要求受付工程では、１つの前記放送チャンネルを指定して、前記インデックス情報の要求を受付け、
前記インデックス要求送信工程では、指定された前記放送チャンネルの前記インデックス情報の要求を前記情報提供装置に送信するユーザ端末の動作方法。
２０−５．  ２０−３又は２０−４に記載のユーザ端末の動作方法において、
前記インデックス表示工程では、前記インデックス受信工程で受信した複数の前記インデックス情報を、現在の時刻に基づいて決定した表示態様で表示するユーザ端末の動作方法。
２０−６．  ２０−５に記載のユーザ端末の動作方法において、
前記インデックス表示工程では、現在の時刻に放送されている前記サブコンテンツの前記関連コンテンツの前記インデックス情報を、他の前記インデックス情報から識別可能な表示態様で表示するユーザ端末の動作方法。
２０−７．  ２０−６に記載のユーザ端末の動作方法において、
前記インデックス表示工程では、時間の経過により現在放送されている前記サブコンテンツが変化すると、変化後に放送されている前記サブコンテンツの前記関連コンテンツの前記インデックス情報を、他の前記インデックス情報から識別可能な表示態様で表示するよう、表示態様を変更するユーザ端末の動作方法。
２０−８．  ２０ら２０−７のいずれかに記載のユーザ端末の動作方法において、
前記コンピュータが、さらに、
前記関連コンテンツを保存するユーザ入力を受付ける関連コンテンツ保存受付工程と、
保存する前記ユーザ入力を受付けた前記関連コンテンツを、当該関連コンテンツに対応する前記サブコンテンツの放送日時に対応付けて記憶する関連コンテンツ保存工程と、
前記放送日時をキーとして記憶されている前記関連コンテンツを検索する検索工程と、
を実行するユーザ端末の動作方法。
【符号の説明】
【０１６８】
１Ａ      ＣＰＵ
２Ａ      ＲＡＭ
３Ａ      ＲＯＭ
４Ａ      表示制御部
５Ａ      ディスプレイ
６Ａ      操作受付部
７Ａ      操作部
８Ａ      通信部
９Ａ      補助記憶装置
１０Ａ    バス
１０      情報提供装置
１０−１  情報提供装置
１０−２  情報提供装置
１１      関連コンテンツ記憶部
１２      関連コンテンツ要求受信部
１３      関連コンテンツ送信部
１４      インデックス要求受信部
１５      インデックス送信部
１６      ユーザ情報記憶部
１７      お勧め情報提供部
２０      ユーザ端末
２０−１  ユーザ端末
２０−２  ユーザ端末
２２      関連コンテンツ要求受付部
２３      関連コンテンツ要求送信部
２４      関連コンテンツ受信部
２５      関連コンテンツ表示部
２６      インデックス要求受付部
２７      インデックス要求送信部
２８      インデックス受信部
２９      インデックス表示部
３０      関連コンテンツ保存受付部
３１      関連コンテンツ保存部
３２      検索部
４０      ネットワーク
【図１】
2016005182.tif 000003
【図２】
2016005182.tif 000004
【図３】
2016005182.tif 000005
【図４】
2016005182.tif 000006
【図５】
2016005182.tif 000007
【図６】
2016005182.tif 000008
【図７】
2016005182.tif 000009
【図８】
2016005182.tif 000010
【図９】
2016005182.tif 000011
【図１０】
2016005182.tif 000012
【図１１】
2016005182.tif 000013
【図１２】
2016005182.tif 000014
【図１３】
2016005182.tif 000015
【図１４】
2016005182.tif 000016
【図１５】
2016005182.tif 000017
【図１６】
2016005182.tif 000018
【図１７】
2016005182.tif 000019
【図１８】
2016005182.tif 000020
【図１９】
2016005182.tif 000021
【図２０】
2016005182.tif 000022
【図２１】
2016005182.tif 000023
【図２２】
2016005182.tif 000024
【図２３】
2016005182.tif 000025
【図２４】
2016005182.tif 000026
【図２５】
2016005182.tif 000027
【図２６】
2016005182.tif 000028
【図２７】
2016005182.tif 000029